(57)【要約】【課題】調弦を行う者が第１弦、および第２弦の調弦すべき基準音高を認識していない場合であっても、第１弦、および第２弦をそれぞれ基準音高に容易に設定することができる調弦装置を提供すること。【解決手段】マイク３１により収音された楽音の音高が境界音メモリ３６ｅに記憶された音名の音高以下の場合には、外弦チューニングランプ１９を消灯した上で、里弦チューニングランプ１８を使用して偏差を表示する。よって、里弦を基準音高に調弦する場合には、まず、里弦♭チューニングランプ１８ａ、または里弦♯チューニングランプ１８ｂのいずれかが点滅するように調弦し、その後、里弦♭チューニングランプ１８ａ、および里弦♯チューニングランプ１８ｂが点灯するように調弦すれば良い。従って、二胡用チューナ１０の使用者が、設定すべき里弦に対する基準音高を認識していない場合であっても、その使用者は、里弦を基準音高に容易に設定することができる。【選択図】図８
2009288342.tif 000002
【特許請求の範囲】
【請求項１】
第１弦と第２弦とから構成される弦楽器から出力される楽音の音高を検出し、その検出した音高と予め設定された基準音高との偏差を表示する調弦装置であって、
前記弦楽器から出力された楽音を収音する収音手段と、
その収音手段により収音された楽音の音高を検出する音高検出手段と、
前記第１弦に対する基準音高を設定する第１基準音高設定手段と、
前記第２弦に対する基準音高を設定する第２基準音高設定手段と、
前記音高検出手段により検出された音高と前記第１基準音高設定手段により設定された基準音高との偏差を表示する第１表示手段と、
前記音高検出手段により検出された音高と前記第２基準音高設定手段により設定された基準音高との偏差を表示する第２表示手段とを備えていることを特徴とする調弦装置。
【請求項２】
前記第１基準音高設定手段により設定される第１弦に対する基準音高は、前記第２基準音高設定手段により設定される第２弦に対する基準音高よりも低い音高に設定されるものであり、
前記第１弦に対する基準音高と前記第２弦に対する基準音高との間にある音高のうち、１の音高を境界音高として設定する境界音高設定手段と、
その境界音高設定手段により設定された境界音高と前記音高検出手段により検出された音高とを比較して、いずれの音高が高いかを判定する音高判定手段と、
前記音高検出手段により検出された音高が前記境界音高設定手段により設定された境界音高以下、またはその境界音高より低いと前記音高判定手段により判定された場合には、前記第１表示手段に前記偏差を表示させる第１表示制御手段と、
前記音高検出手段により検出された音高が前記境界音高設定手段により設定された境界音高より高い、またはその境界音高以上と前記音高判定手段により判定された場合には、前記第２表示手段に前記偏差を表示させる第２表示制御手段とを備えていることを特徴とする請求項１記載の調弦装置。
【請求項３】
前記第１表示制御手段は、前記音高検出手段により検出された音高が前記境界音高設定手段により設定された境界音高以下、またはその境界音高より低いと前記音高判定手段により判定された場合には、前記第２表示手段の表示を停止する第１用停止手段を備え、
前記第２表示制御手段は、前記音高検出手段により検出された音高が前記境界音高設定手段により設定された境界音高より高い、またはその境界音高以上と前記音高判定手段により判定された場合には、前記第１表示手段の表示を停止する第２用停止手段を備えていることを特徴とする請求項１、または２に記載の調弦装置。
【請求項４】
前記第１弦に対する基準音高と前記第２弦に対する基準音高とを一組の音高情報とし、その音高情報を複数組記憶する基準音高記憶手段と、
その基準音高記憶手段に記憶された複数組の音高情報から一組の音高情報を選択する選択手段とを備え、
前記第１基準音高設定手段は、前記第１弦に対する基準音高の設定を、前記選択手段により選択された一組の音高情報の第１弦に対する基準音高に応じて変更するものであり、
前記第２基準音高設定手段は、前記第２弦に対する基準音高の設定を、前記選択手段により選択された一組の音高情報の第２弦に対する基準音高に応じて変更するものであることを特徴とする請求項１から３のいずれかに記載の調弦装置。
【請求項５】
前記弦楽器は、前記第１弦を里弦とし、前記第２弦を外弦として、その里弦、および外弦を棹から所定の間隔を隔てた位置に配設する二胡であり、
その二胡の棹に装着されると共に前記所定の間隔を隔てて里弦、および外弦を配設することにより生じる空間に配置される筐体を備え、
前記第１表示手段、および第２表示手段は、その筐体に設けられていることを特徴とする請求項１から４のいずれかに記載の調弦装置。
【請求項６】
前記筐体に配設される第１表示手段、および第２表示手段は、前記筐体が前記棹に装着された場合にその棹の長手方向に沿って並べて設けられており、
前記第２表示手段は、前記第１表示手段と前記二胡の琴托との間となる位置に配置されていることを特徴とする請求項５記載の調弦装置。
【発明の詳細な説明】
【技術分野】
【０００１】
本発明は調弦装置に関し、特に、調弦を行う者が第１弦、および第２弦の調弦すべき基準音高を認識していない場合であっても、第１弦、および第２弦をそれぞれ基準音高に容易に設定することができる調弦装置に関するものである。
【背景技術】
【０００２】
ギター等の弦楽器の弦振動の音高（周波数）を検出し、その検出した音高と基準音高との偏差を表示することにより、弦楽器の調弦を行う楽器用調弦装置（チューナ）に関しては、例えば、特開２００４−５３７７９号公報や特開平５−６６７６７号公報に記載の調律装置が知られている。この特開２００４−５３７７９号公報に記載の調律装置は、ギター用の調律（調弦）装置であり、基準音高選択スイッチ１０３＿１の選択操作によりギターの各弦毎に基準音高を設定することで、各弦毎に設定された基準音高と弦振動による音高との偏差を表示するものである。また、特開平５−６６７６７号公報に記載の調律装置は、基準音高を設定することなく、検出した音高（弦振動による音高）に近い音名、およびその音名の音高に対する偏差の両方を表示器に表示するものである。
【特許文献１】特開２００４−５３７７９号公報
【特許文献２】特開平５−６６７６７号公報
【発明の開示】
【発明が解決しようとする課題】
【０００３】
ここで、上記の調律（調弦）装置を用いて、二胡を代表とする２つの弦から構成される弦楽器を調律（調弦）する場合には、次の問題点がある。即ち、特開２００４−５３７７９号公報の調律装置を用いる場合には、調律を行う者は、各弦に対応する基準音高を調律装置に間違いなく設定しなければならないので、特に各基準音高の記憶が曖昧である初心者は、調律装置を使用する度に、設定すべき各基準音高を確認する作業が必要になるという問題点があった。更に、調律を行う者は、調律装置に設定した２つの弦の各基準音高が、基準音高選択スイッチ１０３＿１のどの位置に対応して設定されたかを正確に記憶しておかなければならない。よって、もしこれを忘れた場合には、再度、調弦（チューニング）しようとする2つの弦の各弦に対応する基準音高を調律装置に設定し直さなければならないという問題点があった。
【０００４】
加えて、特開平５−６６７６７号公報の調律装置を用いる場合には、検出した音高（弦振動による音高）に近い音名、およびその音名の音高に対する偏差の両方が表示器に表示されるので、調律を行う者は、この表示された音名と偏差との両方を確認しながら調律を行わなければならない。よって、調律作業は煩雑となり、直感的に行うことが出来ないという問題点があった。また、調律装置に調弦しようとする2つの弦の基準音高を予め設定することができないので、調律を行う者は、調律すべき音高を、調弦しようとする2つの弦の各弦に対応して正確に記憶しておかなければならない。よって、調律すべき各音高の記憶が曖昧である初心者は、調律装置を使用する度に、調律すべき各音高を確認する作業を行わなければならないという問題点があった。
【０００５】
本発明は、上述した問題点を解決するためになされたものであり、調弦を行う者が第１弦、および第２弦の調弦すべき基準音高を認識していない場合であっても、第１弦、および第２弦をそれぞれ基準音高に容易に設定することができる調弦装置を提供することを目的としている。
【課題を解決するための手段】
【０００６】
この目的を達成するために請求項１記載の調弦装置は、第１弦と第２弦とから構成される弦楽器から出力される楽音の音高を検出し、その検出した音高と予め設定された基準音高との偏差を表示するものであり、前記弦楽器から出力された楽音を収音する収音手段と、その収音手段により収音された楽音の音高を検出する音高検出手段と、前記第１弦に対する基準音高を設定する第１基準音高設定手段と、前記第２弦に対する基準音高を設定する第２基準音高設定手段と、前記音高検出手段により検出された音高と前記第１基準音高設定手段により設定された基準音高との偏差を表示する第１表示手段と、前記音高検出手段により検出された音高と前記第２基準音高設定手段により設定された基準音高との偏差を表示する第２表示手段とを備えている。
【０００７】
請求項２記載の調弦装置は、請求項１記載の調弦装置において、前記第１基準音高設定手段により設定される第１弦に対する基準音高は、前記第２基準音高設定手段により設定される第２弦に対する基準音高よりも低い音高に設定されるものであり、前記第１弦に対する基準音高と前記第２弦に対する基準音高との間にある音高のうち、１の音高を境界音高として設定する境界音高設定手段と、その境界音高設定手段により設定された境界音高と前記音高検出手段により検出された音高とを比較して、いずれの音高が高いかを判定する音高判定手段と、前記音高検出手段により検出された音高が前記境界音高設定手段により設定された境界音高以下、またはその境界音高より低いと前記音高判定手段により判定された場合には、前記第１表示手段に前記偏差を表示させる第１表示制御手段と、前記音高検出手段により検出された音高が前記境界音高設定手段により設定された境界音高より高い、またはその境界音高以上と前記音高判定手段により判定された場合には、前記第２表示手段に前記偏差を表示させる第２表示制御手段とを備えている。
【０００８】
なお、音高検出手段により検出された音高が境界音高設定手段により設定された境界音高以下、またはその境界音高より低いと音高判定手段により判定され、第１表示手段に偏差が表示される場合には、第２表示手段を、停止状態としても良いし、表示可能な状態としても良い。音高検出手段により検出された音高が境界音高設定手段により設定された境界音高以下、またはその境界音高より低いと音高判定手段により判定されたときに、第２表示手段を表示可能な状態とした場合には、第２表示手段には、偏差の表示に代えて、例えば、第１表示手段に表示される偏差に注目することを促すメッセージ等を表示しても良い。なお、音高検出手段により検出された音高が境界音高設定手段により設定された境界音高より高い、またはその境界音高以上と音高判定手段により判定された場合には、第１表示手段と第２表示手段とを上記した構成とは逆の構成にすれば良い。
【０００９】
請求項３記載の調弦装置は、請求項１、または２に記載の調弦装置において、前記第１表示制御手段は、前記音高検出手段により検出された音高が前記境界音高設定手段により設定された境界音高以下、またはその境界音高より低いと前記音高判定手段により判定された場合には、前記第２表示手段の表示を停止する第１用停止手段を備え、前記第２表示制御手段は、前記音高検出手段により検出された音高が前記境界音高設定手段により設定された境界音高より高い、またはその境界音高以上と前記音高判定手段により判定された場合には、前記第１表示手段の表示を停止する第２用停止手段を備えている。
【００１０】
請求項４記載の調弦装置は、請求項１から３のいずれかに記載の調弦装置において、前記第１弦に対する基準音高と前記第２弦に対する基準音高とを一組の音高情報とし、その音高情報を複数組記憶する基準音高記憶手段と、その基準音高記憶手段に記憶された複数組の音高情報から一組の音高情報を選択する選択手段とを備え、前記第１基準音高設定手段は、前記第１弦に対する基準音高の設定を、前記選択手段により選択された一組の音高情報の第１弦に対する基準音高に応じて変更するものであり、前記第２基準音高設定手段は、前記第２弦に対する基準音高の設定を、前記選択手段により選択された一組の音高情報の第２弦に対する基準音高に応じて変更するものである
【００１１】
請求項５記載の調弦装置は、請求項１から４のいずれかに記載の調弦装置において、前記弦楽器は、前記第１弦を里弦とし、前記第２弦を外弦として、その里弦、および外弦を棹から所定の間隔を隔てた位置に配設する二胡であり、その二胡の棹に装着されると共に前記所定の間隔を隔てて里弦、および外弦を配設することにより生じる空間に配置される筐体を備え、前記第１表示手段、および第２表示手段は、その筐体に設けられている。
【００１２】
請求項６記載の調弦装置は、請求項５記載の調弦装置において、前記筐体に配設される第１表示手段、および第２表示手段は、前記筐体が前記棹に装着された場合にその棹の長手方向に沿って並べて設けられており、前記第２表示手段は、前記第１表示手段と前記二胡の琴托との間となる位置に配置されている。
【発明の効果】
【００１３】
請求項１記載の調弦装置によれば、第１基準音高設定手段は第１弦に対する基準音高を設定し、第２基準音高設定手段は第２弦に対する基準音高を設定する。すると、第１表示手段によって、第１基準音高設定手段により設定された基準音高と音高検出手段により検出された音高との偏差が表示される。また、第２表示手段によって、第２基準音高設定手段により設定された基準音高と音高検出手段により検出された音高との偏差が表示される。このように、第１表示手段は、第１基準音高設定手段により設定された第１弦に対する基準音高を基準とした偏差を表示し、第２表示手段は、第２基準音高設定手段により設定された第２弦に対する基準音高を基準とした偏差を表示する。よって、第１表示手段により表示された偏差をなくすように第１弦を調弦し、第２表示手段により表示された偏差をなくすように第２弦を調弦すれば、調弦を行う者が第１弦、および第２弦の調弦すべき基準音高を認識していない場合であっても、第１弦、および第２弦の音高を、それぞれに対応する基準音高に容易に設定することができるという効果がある。
【００１４】
請求項２記載の調弦装置によれば、請求項１記載の調弦装置の奏する効果に加え、音高判定手段は、境界音高設定手段により設定された境界音高と音高検出手段により検出された音高とを比較して、いずれの音高が高いかを判定する。そして、音高判定手段によって、音高検出手段により検出された音高が境界音高設定手段により設定された境界音高以下、またはその境界音高より低いと判定された場合には、第１表示制御手段は、音高検出手段により検出された音高と第１基準音高設定手段により設定された基準音高との偏差を第１表示手段に表示させる。一方、音高判定手段によって、音高検出手段により検出された音高が境界音高設定手段により設定された境界音高より高い、またはその境界音高以上と判定された場合には、第２表示制御手段は、音高検出手段により検出された音高と第２基準音高設定手段により設定された基準音高との偏差を第２表示手段に表示させる。このように、音高検出手段により検出された音高に応じて第１表示手段、または第２表示手段のいずれか一方に偏差を表示させるので、調弦を行う者は、第１表示手段、および第２調弦手段の表示の両方を見ることなく、調弦を行う弦に対応する表示手段、すなわち第１弦の調弦の際には第１表示手段、第２弦の調律の際には第２表示手段に表示された偏差を見て調弦を行うことができる。よって、第１弦、および第２弦の音高を、それぞれに対応する基準音高に容易に設定することができるという効果がある。
【００１５】
また、第１基準音高設定手段により設定される第１弦に対する基準音高は、第２基準音高設定手段により設定される第２弦に対する基準音高よりも低い音高に設定されている。よって、第２弦の調弦を行っているときに、第１表示手段によって偏差が表示された場合には、第２弦の振動により出力された楽音の音高が、第２弦に対する基準音高より大幅に低いことを、調弦を行っている者に認識させることができるという効果がある。同様に、第１弦の調弦を行っているときに、第２表示手段によって偏差が表示された場合には、第１弦の振動により出力された楽音の音高が、第１弦に対する基準音高より大幅に高いことを、調弦を行っている者に認識させることができるという効果がある。
【００１６】
請求項３記載の調弦装置によれば、請求項１、または２に記載の調弦装置の奏する効果に加え、音高検出手段により検出された音高が境界音高設定手段により設定された境界音高以下、またはその境界音高より低いと音高判定手段により判定された場合には、第１用停止手段は、第２表示手段の表示を停止する。このように、音高検出手段により検出された音高が境界音高以下、またはその境界音高より低いと音高判定手段により判定された場合には、不要である第２表示手段の偏差の表示を停止することで、第１表示手段による偏差のみを確実に表示することができる。また、音高検出手段により検出された音高が境界音高設定手段により設定された境界音高より高い、またはその境界音高以上と前記音高判定手段により判定された場合には、第２用停止手段は、第１表示手段の表示を停止する。このように、音高検出手段により検出された音高が境界音高より高い、またはその境界音高以上と音高判定手段により判定された場合には、不要である第１表示手段の偏差の表示を停止することで、第２表示手段による偏差のみを確実に表示することができる。よって、第１弦、または第２弦の調弦が行われている場合には、第１表示手段による偏差、または第２表示手段による偏差のいずれか一方を確実に表示することができるという効果がある。
【００１７】
請求項４記載の調弦装置によれば、請求項１から３のいずれかに記載の調弦装置の奏する効果に加え、第１基準音高設定手段は、選択手段により選択された一組の音高情報の第１弦に対する基準音高の音名に応じて、第１弦に対する基準音高の設定を変更し、第２基準音高設定手段は、選択手段により選択された一組の音高情報の第２弦に対する基準音高の音名に応じて、第２弦に対する基準音高の設定を変更する。よって、基準音高記憶手段に記憶された複数組の音高情報から一組の音高情報を選択手段により選択すれば、第１弦に対する基準音高の設定に加えて、第２弦に対する基準音高の設定も一度に行うことができる。従って、第１弦に対する基準音高と第２弦に対する基準音高とを別々に設定する必要がないので、各基準音高の設定ミスを低減することができるという効果がある。更に、調弦を行う者が、例えば、第１弦に設定される基準音高の音名は認識しているものの、第２弦に設定される基準音高の音名を認識していない場合、或いはその逆の場合であっても、認識している弦に対する基準音高の音名を頼りに選択手段によって一組の音高情報を選択することで、認識していない弦に対する基準音高の設定も正確に行うことができるという効果がある。
【００１８】
請求項５記載の調弦装置によれば、請求項１から４のいずれかに記載の調弦装置の奏する効果に加え、二胡の棹に装着されると共に所定の間隔を隔てて里弦、および外弦を配設することにより生じる空間に配置される筐体には、第１表示手段、および第２表示手段が設けられている。よって、第１表示手段、および第２表示手段を配設するための空間を特別に設ける必要がない上に、通常の演奏姿勢で調弦を行いながら第１表示手段、または第２表示手段に表示される偏差を確認することができるという効果がある。
【００１９】
請求項６記載の調弦装置によれば、請求項５記載の調弦装置の奏する効果に加え、筐体に配設される第１表示手段、および第２表示手段は、筐体が棹に装着された場合にその棹の長手方向に沿って並べて設けられており、更に、第２表示手段は、第１表示手段と二胡の琴托との間となる位置に配置されている。これにより、琴托から遠い位置に第１表示手段が配置され、琴托から近い位置に第２表示手段が配置されていることになる。よって、通常の演奏姿勢で調弦を行う場合には、調弦を行う者の目線から近い位置に第１表示手段があり、その目線から遠い位置に第２表示手段があることとなる。ここで、調弦を行う者の目線から近い位置に里弦に関する表示を行い、調弦を行う者の目線から遠い位置に外弦に関する表示を行う形態は、弦楽器で一般的に行われている表示形態と一致するので、調弦を行う者は、その表示が里弦に関するものか、外弦に関するものかを容易に把握することができる。よって、里弦に対する基準音高との偏差を表示する第１表示手段を演奏者の目線から近い位置に配設し、外弦に対する基準音高との偏差を表示する第２表示手段を演奏者の目線から遠い位置に配設することで、里弦に対する基準音高の偏差か、外弦に対する基準音高の偏差かを、調弦を行うものに容易に把握させることができるという効果がある。
【発明を実施するための最良の形態】
【００２０】
以下、本発明の一実施の形態について添付図面を参照して説明する。図１を参照して、二胡用チューナ１０の外観について説明する。図１（ａ）は、二胡用チューナ１０の外観を示した図であり、図１（ｂ）は、二胡用チューナ１０の一部であるコントローラ１２の矢印Ｉｂ視における外観の拡大図である。
【００２１】
この二胡用チューナ１０は、里弦Ｇ１、および外弦Ｇ２の調弦を行う者（二胡用チューナの使用者）が、里弦Ｇ１、および外弦Ｇ２の調弦すべき各基準音高を認識していない場合であっても（知らない場合であっても）、里弦チューニングランプ１８や外弦チューニングランプ１９に表示される偏差を少なくするように里弦Ｇ１、および外弦Ｇ２の張力を調整することで、里弦Ｇ１、および外弦Ｇ２をそれぞれ基準音高に容易に調整することができる装置である。
【００２２】
まず、図１（ａ）を参照して、二胡用チューナ１０の外観について説明する。二胡用チューナ１０は、二胡用チューナ１０の操作を指示するコントローラ１２と、そのコントローラ１２に接続される本体１１とを有している。
【００２３】
本体１１は、コントローラ１２の操作によって、里弦Ｇ１、または外弦Ｇ２の振動により出力された楽音の音高を検出するチューナ機能、および入力された楽音に残響などの効果を付与する効果付与機能を実現する装置である。本体１１は、二胡Ｎの琴托１００の底面に取り付けられており、二胡Ｎと一体化されている。本体１１には、琴筒に設けられた花窓に対向する筐体３０が設けられ、その筐体３０には、里弦Ｇ１、および外弦Ｇ２の振動により出力された楽音を収音するマイク３１（図２参照）が花窓（図示せず）に対向して設けられている。また、本体１１には、アナログ信号が出力される出力端子３５が設けられている。
【００２４】
コントローラ１２は、里弦Ｇ１、および外弦Ｇ２と棹１０１との間の空間に配設されると共に、棹１０１に取り付けられ、本体１１とケーブルを介して接続されている。コントローラ１２の前面（コントローラ１２が里弦Ｇ１、および外弦Ｇ２と対向する面）には、各種ボタン１３ａ〜１３ｄ，１４の５つのボタンが設けられている。詳細は図２で後述するが、この各種ボタン１３ａ〜１３ｄ，１４の押下により、二胡用チューナ１０の機能を設定する。
【００２５】
次に、図１（ｂ）を参照して、コントローラ１２の外観について説明する。コントローラ１２の側面（図１（ａ）に記載の矢印Ｉｂ視におけるコントローラ１２の正面）には、表示器１７が設けられている。このコントローラ１２の側面は、二胡Ｎの演奏を行う者が演奏姿勢となった場合には、その演奏を行う者と対向する。よって、二胡Ｎの調弦を行う場合には、調弦を行う者と表示器１７とが対向した状態となる。
【００２６】
表示器１７には、里弦Ｇ１、または外弦Ｇ２の振動により出力された楽音の音高（マイク３１に入力された楽音の音高）と里弦Ｇ１に対する基準音高との偏差を表示する里弦チューニングランプ１８、里弦Ｇ１、または外弦Ｇ２の振動により出力された楽音の音高と外弦Ｇ２に対する基準音高との偏差を表示する外弦チューニングランプ１９、および本体１１の動作状態を示す表示ランプＬ１〜Ｌ５が設けられている。
【００２７】
里弦チューニングランプ１８は、里弦♭チューニングランプ１８ａと里弦♯チューニングランプ１８ｂとを有している。なお、詳細は図２で後述するが、里弦♭チューニングランプ１８ａは、マイク３１に入力された楽音の音高が境界音の音高以下であり、かつ里弦Ｇ１に対する基準音高よりも低い場合に点滅し、里弦♯チューニングランプ１８ｂは、マイク３１に入力された楽音の音高が境界音の音高以下であり、かつ里弦Ｇ１に対する基準音高よりも高い場合に点滅するランプである。なお、境界音とは、マイク３１に入力された楽音の音高が、里弦Ｇ１に対する基準音高に近いか、或いは外弦Ｇ２に対する基準音高に近いかを決定するための境界となる音である。
【００２８】
外弦チューニングランプ１９は、外弦♭チューニングランプ１９ａと外弦♯チューニングランプ１９ｂとを有している。なお、詳細は図２で後述するが、外弦♭チューニングランプ１９ａは、マイク３１に入力された楽音の音高が境界音の音高よりも高く、かつ外弦Ｇ２に対する基準音高よりも低い場合に点滅し、外弦♯チューニングランプ１９ｂは、マイク３１に入力された楽音の音高が境界音の音高よりも高く、かつ外弦Ｇ２に対する基準音高よりも高い場合に点滅するランプである。
【００２９】
図１（ａ）、および図１（ｂ）から分かるように、コントローラ１２が、里弦Ｇ１、および外弦Ｇ２と棹１０１との間の空間に配設されると共に、棹１０１に取り付けられているので、コントローラ１２を配設するためのスペース（空間）を特別に設ける必要がない。また、二胡Ｎの意匠性を著しく損なうこともない。
【００３０】
また、本体１１、およびコントローラ１２を二胡Ｎに取り付けることで、二胡用チューナ１０を二胡Ｎと一体化している。よって、チューナが二胡Ｎと別体である場合と比較して、二胡用チューナ１０では、チューナ本体の設置場所やそのチューナ本体との接続を意識する必要がない。
【００３１】
また、マイク３１に入力された楽音の音高と弦に対する基準音高との偏差を示す里弦チューニングランプ１８、および外弦チューニングランプ１９は、二胡Ｎの演奏を行う者が演奏姿勢（調弦姿勢）となった場合にその調弦を行う者と対向するように配設されている。よって、調弦を行う者は、特別な姿勢になることなく、通常の演奏姿勢（調弦姿勢）で、里弦チューニングランプ１８、および外弦チューニングランプ１９の表示に従って調弦を行うことができる。
【００３２】
また、外弦チューニングランプ１９は、里弦チューニングランプ１８と琴托１００との間に配設されている。即ち、琴托１００から遠い位置に里弦チューニングランプ１８が配設され、琴托１００から近い位置に外弦チューニングランプ１９が配設されている。従って、調弦を行う者が調弦姿勢となった場合には（通常の演奏姿勢となった場合には）、調弦を行う者の目線から近い位置に里弦チューニングランプ１８があり、その目線から遠い位置に外弦チューニングランプ１９があることとなる。ここで、調弦を行う者の目線から近い位置に里弦Ｇ１に関する表示を行い、調弦を行う者の目線から遠い位置に外弦Ｇ２に関する表示を行う形態は、弦楽器で一般的に行われている表示形態と一致するので、調弦を行う者は、その表示が里弦Ｇ１に関するものか、外弦Ｇ２に関するものかを通常の感覚に基づいて把握できる。このように、里弦Ｇ１に対する基準音高との偏差を表示する里弦チューニングランプ１８を演奏者の目線から近い位置に配設し、外弦Ｇ２に対する基準音高との偏差を表示する外弦チューニングランプ１９を演奏者の目線から遠い位置に配設することで、調弦を行っている弦の音高と基準音高との偏差が、里弦Ｇ１に対するものか、或いは外弦Ｇ２に対するものかを、調弦を行う者に容易、かつ直感的に把握させることができる。
【００３３】
表示ランプＬ１〜Ｌ５は、各種ボタン１３ａ〜１３ｄ，１４の各々に対応する位置に配設されている。表示ランプＬ１〜Ｌ５は、前述の通り、本体１１の動作状態を示すランプであるので、例えば、効果付与機能が選択された場合であって、エフェクトモードにリバーブモードが選択されているときには、リバーブボタン１３ａに最も近い位置に配設された表示ランプＬ１が点灯し、また、効果付与機能が選択された場合であって、エフェクトモードにコーラスモードが選択されているときには、コーラスボタン１３ｄに最も近い位置に配設された表示ランプＬ４が点灯する。なお、エフェクトモードの詳細については、後述する。
【００３４】
次に、図２を参照して、二胡用チューナ１０の電気的構成について説明する。図２は、二胡用チューナ１０の電気的構成を示すブロック図である。二胡用チューナ１０は、マイク３１、Ａ／Ｄ変換器３２、ＤＳＰ３３、Ｄ／Ａ変換器３４、出力端子３５、コントローラ１２、ＲＡＭ３６、ＣＰＵ３７、ＲＯＭ３８、および表示器１７を有している。このうち、ＤＳＰ３３、コントローラ１２、ＲＡＭ３６、ＣＰＵ３７、ＲＯＭ３８、および表示器１７は、バスライン４０を介して互いに接続されている。
【００３５】
なお、二胡用チューナ１０は、里弦Ｇ１、または外弦Ｇ２の振動により出力された楽音の音高を検出するチューナ機能、および入力された楽音に残響などの効果を付与する効果付与機能の２つの機能を有している。そして、効果付与機能には、リバーブモード、ディレイモード、オクターブモード、コーラスモード、およびノーマルモードの５つのエフェクトモードが設けられている。各エフェクトモードの詳細については後述する。
【００３６】
また、二胡用チューナ１０の電源がオンされた場合には、初期設定として効果付与機能が設定されると共に、エフェクトモードとしてノーマルモードが設定される。効果付与機能からチューナ機能へ、またはチューナ機能から効果付与機能への切り替えは、チューナボタン１４を２秒以上継続して長押することにより行われる。また、効果付与機能がノーマルモード以外の例えばリバーブモードに変更された場合や、効果付与機能からチューナ機能への切り替えが行われた場合等のように、二胡用チューナ１０の使用者によって二胡用チューナ１０の設定が変更されたときであっても、電源を再投入すれば、初期設定が改めて行われ、二胡用チューナ１０には効果付与機能が設定されると共に、エフェクトモードとしてノーマルモードが改めて設定される。なお、初期設定では、この効果付与機能の設定に加え、その他の設定も行われるが、これらの設定については図４にて詳述する。
【００３７】
マイク３１は、二胡用チューナ１０の使用者（調弦を行う者）によりチューナ機能が選択された場合に、里弦Ｇ１、または外弦Ｇ２の振動により出力された楽音を収音するマイクロフォンである。マイク３１により収音された楽音は、アナログ信号に変換された後、Ａ／Ｄ変換器３２へ入力される。
【００３８】
Ａ／Ｄ変換器３２は、入力されたアナログ信号を、所定のサンプリング周波数（例えば、４４．１ｋＨｚ）でサンプリングし、所定のビット数（例えば、１６ビット）に量子化する変換器である。Ａ／Ｄ変換器３２により変換されたデジタル信号は、逐次ＤＳＰ３３へ入力される。
【００３９】
ＤＳＰ３３は、デジタル信号処理回路（Digital  Signal  Processor）であり、Ａ／Ｄ変換器３２により変換されたデジタル信号を処理する。ＤＳＰ３３は、二胡用チューナ１０の使用者によりチューナ機能が選択された場合、入力されたデジタル信号の波形のゼロクロスを検出し、その検出したゼロクロスをＣＰＵ３７に通知する。ＣＰＵ３７は、ゼロクロスの通知を入力すると、ゼロクロスが発生した時間間隔に基づいて、マイク３１により収音された楽音の周期（音高）を検出する。なお、この検出した楽音の音高は、ＣＰＵ３７によって、後述する検出音高メモリ３６ｆに記憶される。
【００４０】
また、ＤＳＰ３３は、二胡用チューナ１０の使用者により効果付与機能が選択された場合は、入力されたデジタル信号にリバーブなどの効果を付与してＤ／Ａ変換器３４へ出力する。
【００４１】
Ｄ／Ａ変換器３４は、効果付与機能においてＤＳＰ３３によって処理されたデジタル信号をアナログ信号に変換して出力端子３５へ出力する。なお、出力端子３５に、増幅器を介してスピーカ（図示せず）が接続された場合には、スピーカは、入力されたアナログ信号を音に変換し外部へ出力する。
【００４２】
コントローラ１２は、二胡用チューナ１０の操作を指示する装置であり、コントローラ１２には、エフェクトボタン１３とチューナボタン１４とが設けられている。エフェクトボタン１３には、リバーブボタン１３ａ、ディレイボタン１３ｂ、オクターブボタン１３ｃ、およびコーラスボタン１３ｄの４つのボタンが設けられている。
【００４３】
リバーブボタン１３ａは、二胡用チューナ１０の使用者によりチューナ機能が選択された場合には、音名「Ａ４」に割り当てられる周波数となる基準周波数を、リバーブボタン１３ａの押下により、「４４０Ｈｚ」、または「４４２Ｈｚ」のいずれかに切り換えるボタンとなる。一方、二胡用チューナ１０の使用者により効果付与機能が選択された場合には、二胡の演奏により出力される楽音に残響音を付与することで、コンサートホールで演奏を聴いているような効果を付与するリバーブモードを設定するボタンとなる。
【００４４】
ディレイボタン１３ｂは、二胡用チューナ１０の使用者によりチューナ機能が選択された場合には、里弦Ｇ１に対応する基準音高の音名を「Ｇ３」に決定し、外弦Ｇ２に対応する基準音高の音名を「Ｄ４」に決定するボタンとなる。一方、二胡用チューナ１０の使用者により効果付与機能が選択された場合には、二胡の演奏により出力される楽音にエコーを付与することで、二胡の演奏による楽音が繰り返し出力されるような効果を付与するディレイモードを設定するボタンとなる。
【００４５】
オクターブボタン１３ｃは、二胡用チューナ１０の使用者によりチューナ機能が選択された場合には、里弦Ｇ１に対応する基準音高の音名を「Ｃ４」に決定し、外弦Ｇ２に対応する基準音高の音名を「Ｇ４」に決定するボタンとなる。一方、二胡用チューナ１０の使用者により効果付与機能が選択された場合には、二胡の演奏により出力される楽音に、その楽音よりも１オクターブ低い音を加えることで、太い弦を持ち、かつ筐体が大きな二胡と合奏しているかのような効果を付与するオクターブモードを設定するボタンとなる。
【００４６】
コーラスボタン１３ｄは、二胡用チューナ１０の使用者によりチューナ機能が選択された場合には、里弦Ｇ１に対応する基準音高の音名を「Ａ３」に決定し、外弦Ｇ２に対応する基準音高の音名を「Ｅ４」に決定するボタンとなる。一方、二胡用チューナ１０の使用者により効果付与機能が選択された場合には、二胡の演奏により出力される楽音に、その楽音とは多少音高の異なる音を加えることで、斉奏しているかのような効果を付与するコーラスモードを設定するボタンとなる。
【００４７】
チューナボタン１４は、前述の通り、２秒以上継続して長押することで、二胡用チューナ１０の機能をチューナ機能、または効果付与機能のいずれかに切り換えるボタンである。そして、二胡用チューナ１０の使用者によりチューナ機能が選択された場合には、里弦Ｇ１に対応する基準音高の音名を「Ｄ４」に決定し、外弦Ｇ２に対応する基準音高の音名を「Ａ４」に決定するボタンとなる。なお、この場合を、二胡用チューナ１０のチューナ機能における標準モードとしている。一方、二胡用チューナ１０の使用者により効果付与機能が選択された場合にチューナボタン１４が押下されたときには、既に設定されているエフェクトモードが維持される（既に設定されているエフェクトモードが変化することはない）。
【００４８】
ＣＰＵ３７は、二胡用チューナ１０を制御する演算装置である。ＲＯＭ３８は、ＣＰＵ３７により実行される制御プログラム（例えば、図４から図８に示す処理のフローチャート）や各種テーブル３８ａ〜３８ｃを格納した書き換え不能な不揮発性のメモリである。また、ＲＡＭ３６は、制御プログラムの実行時に各種の情報を一時的に記憶するメモリである。
【００４９】
ＲＯＭ３８には、チューニングバリエーションテーブル３８ａ、境界音テーブル３８ｂ、およびエフェクトテーブル３８ｃが設けられている。ここで、図３（ａ）を参照して、チューニングバリエーションテーブル３８ａについて説明する。図３（ａ）は、チューニングバリエーションテーブル３８ａの内容を模式的に示した図である。
【００５０】
チューニングバリエーションテーブル３８ａは、二胡用チューナ１０の使用者によりチューナ機能が選択された場合に、押下されたボタン（ディレイボタン１３ｂ、オクターブボタン１３ｃ、コーラスボタン１３ｄ、またはチューナボタン１４のいずれかのボタン）に応じて、里弦Ｇ１に対応する基準音高の音名、および外弦Ｇ２に対応する基準音高の音名を決定するためのテーブルである。このチューニングバリエーションテーブル３８ａは、後述するチューニングバリエーション切換処理（図６のＳ２２の処理参照）が実行された場合に、ＣＰＵ３７によって参照される。なお、チューニングバリエーションテーブル３８ａに基づいてＣＰＵ３７により決定された里弦Ｇ１に対応する基準音高の音名、および外弦Ｇ２に対応する基準音高の音名は、ＣＰＵ３７により、後述する里弦基準音メモリ３６ｃ、および外弦基準音メモリ３６ｄにそれぞれ記憶される。
【００５１】
例えば、新たにディレイボタン１３ｂが押下された場合には、ディレイボタン１３ｂの押下に応じたチューニングバリエーションが設定されるので、図３（ａ）に示すように、里弦Ｇ１に対応する基準音高の音名が「Ｇ３」に決定され、この音名が里弦基準音メモリ３６ｃに記憶される。また、外弦Ｇ２に対応する基準音高の音名が「Ｄ４」に決定され、この音名が外弦基準音メモリ３６ｄに記憶される。なお、基準周波数が「４４０Ｈｚ」に設定されている場合には（後述する基準周波数フラグ３６ｂがオフである場合には）、図３（ａ）に示すように、チューナボタン１４が押下されることにより決定される外弦Ｇ２に対応する基準音高「Ａ４」が、４４０Ｈｚに設定され、コーラスボタン１３ｄが押下されることにより決定される里弦Ｇ１に対応する基準音高「Ａ３」が、基準周波数の１/２倍の周波数である２２０Ｈｚに設定される。
【００５２】
ここで、図３（ａ）に示すチューニングバリエーションテーブル３８ａから分かるように、里弦Ｇ１に対応する基準音高は、外弦Ｇ２に対応する基準音高よりも低い音高となるように設定されている。これは、二胡Ｎでは、里弦Ｇ１の径が外弦Ｇ２の径よりも大きいので、里弦Ｇ１に対する基準音高が外弦Ｇ２に対する基準音高よりも低い音高に設定されることを仕様としているからである。
【００５３】
次に、図３（ｂ）を参照して、境界音テーブル３８ｂについて説明する。図３（ｂ）は、境界音テーブル３８ｂの内容を模式的に示した図である。境界音テーブル３８ｂは、二胡用チューナ１０の使用者によりチューナ機能が選択された場合に、マイク３１により収音された楽音について、里弦Ｇ１に対応する基準音高に対する偏差を算出するか、或いは外弦Ｇ２に対応する基準音高に対する偏差を算出するかの判定に使用する境界音の音名を、里弦基準音メモリ３６ｃに記憶された音名に応じて決定するためのテーブルである。この境界音テーブル３８ｂは、後述するチューニング表示処理（図８参照）が実行された場合に、ＣＰＵ３７によって参照される。
【００５４】
例えば、里弦基準音メモリ３６ｃに記憶された音名が「Ｇ３」である場合には、ＣＰＵ３７は、境界音の音名を「Ａ♯３」に決定し、この音名を後述する境界音メモリ３６ｅに記憶する。そして、基準音高メモリ３６ｄに記憶された音名「Ａ♯３」に割り当てられた周波数（音高）を境界音の音高として、ＣＰＵ３７は、マイク３１により収音された楽音の音高が境界音の音高以下か否かを判定する。マイク３１により収音された楽音の音高が境界音の音高以下であれば、ＣＰＵ３７は、収音された楽音の音高と里弦基準音メモリ３６ｃに記憶された音名の基準音高との偏差を算出する。一方、マイク３１により収音された楽音の音高が境界音の音高より高ければ、ＣＰＵ３７は、収音された楽音の音高と外弦基準音メモリ３６ｄに記憶された音名の基準音高との偏差を算出する。
【００５５】
この理由について説明する。里弦基準音メモリ３６ｃに記憶された音名が「Ｇ３」である場合には、外弦基準音メモリ３６ｄには音名「Ｄ４」が記憶されており（図３（ａ）参照）、境界音メモリ３６ｅに記憶される音名「Ａ♯３」は、音名「Ｇ３」と音名「Ｄ４」のほぼ中間に位置する音となる。よって、マイク３１により収音された楽音の音高が境界音の音高以下であれば、ＣＰＵ３７は、マイク３１により収音された楽音の音高が里弦基準音メモリ３６ｃに記憶された音名「Ｇ３」の基準音高に近いと判定して、収音された楽音の音高と里弦基準音メモリ３６ｃに記憶された音名の基準音高との偏差を算出するのである。同様に、マイク３１により収音された楽音の音高が境界音の音高より高ければ、ＣＰＵ３７は、マイク３１により収音された楽音の音高が外弦基準音メモリ３６ｄに記憶された音名「Ｄ４」の基準音高に近いと判定して、収音された楽音の音高と外弦基準音メモリ３６ｄに記憶された音名の基準音高との偏差を算出するのである。
【００５６】
次に、図３（ｃ）を参照して、エフェクトテーブル３８ｃについて説明する。図３（ｃ）は、エフェクトテーブル３８ｃの内容を模式的に示した図である。エフェクトテーブル３８ｃは、二胡用チューナ１０の使用者により効果付与機能が選択された場合に、押下されるボタン（リバーブボタン１３ａ、ディレイボタン１３ｂ、オクターブボタン１３ｃ、またはコーラスボタン１３ｄのいずれかのボタン）に応じて、ＤＳＰ３３に入力されたデジタル信号に付与する効果（エフェクト）を決定するためのテーブルである。このエフェクトテーブル３８ｃは、後述するエフェクト切換処理（図６のＳ２３の処理参照）が実行された場合に、ＣＰＵ３７によって参照される。なお、エフェクトテーブル３８ｃに基づいてＣＰＵ３７により決定されたエフェクトモードは、ＣＰＵ３７により、ＲＡＭ３６の所定の領域に記憶される。
【００５７】
例えば、新たにディレイボタン１３ｂが押下された場合には、エフェクトモードがディレイモードに設定される。なお、既にエフェクトモードがディレイモードに設定されている場合に、新たにディレイボタン１３ｂが押下された場合には、設定されているディレイモードが解除され、ＤＳＰ３３に入力されたデジタル信号に効果（エフェクト）を付与しないノーマルモードに設定される。
【００５８】
なお、前述の通り、二胡用チューナ１０の使用者により効果付与機能が選択された状態でチューナボタン１４が押下された場合には、既に設定されているエフェクトモードが維持される（既に設定されているエフェクトモードが変化することはない）。
【００５９】
図２の説明に戻る。ＲＡＭ３６には、チューナフラグ３６ａ、基準音周波数フラグ３６ｂ、里弦基準音メモリ３６ｃ、外弦基準音メモリ３６ｄ、境界音メモリ３６ｅ、および検出音高メモリ３６ｅが設けられている。チューナフラグ３６ａは、二胡用チューナ１０の使用者によりチューナ機能が選択された場合にオンとなる一方、二胡用チューナ１０の使用者により効果付与機能が選択された場合にオフとなるフラグである。基準周波数フラグ３６ｂは、音名「Ａ４」に割り当てられる周波数となる基準周波数が「４４０Ｈｚ」に設定された場合にオフとなる一方、基準周波数が「４４２Ｈｚ」に設定された場合にオンとなるフラグである。
【００６０】
里弦基準音メモリ３６ｃは、チューニングバリエーションテーブル３８ａに基づいて決定された里弦Ｇ１に対応する基準音高の音名が記憶されるメモリである。外弦基準音メモリ３６ｄは、チューニングバリエーションテーブル３８ａに基づいて決定された外弦Ｇ２に対応する基準音高の音名が記憶されるメモリである。境界音メモリ３６ｅは、境界音テーブル３８ｂに基づいて決定された境界音の音名が記憶されるメモリである。また、検出音高メモリ３６ｆは、ＤＳＰ３３からのゼロクロスの通知によりＣＰＵ３７が検出した楽音の音高、即ち、マイク３１により収音された楽音の音高を記憶するメモリである。
【００６１】
表示器１７は、発光素子であるＬＥＤから構成されるランプであり、里弦チューニングランプ１８、外弦チューニングランプ１９、および表示ランプＬ１〜Ｌ５を有している。里弦チューニングランプ１８は、里弦♭チューニングランプ１８ａ、および里弦♯チューニングランプ１８ｂを有している。里弦♭チューニングランプ１８ａは、マイク３１により収音された楽音の音高が境界音メモリ３６ｅに記憶された音名の音高以下であり、かつ里弦基準音メモリ３６ｃに記憶された音名の基準音高よりも低い偏差となった場合に点滅するランプである。この里弦♭チューニングランプ１８ａの点滅により、二胡用チューナ１０の使用者は、里弦Ｇ１の張力を調整して、里弦Ｇ１の振動により出力される楽音の音高を高くする必要があることを認識することができる。
【００６２】
里弦♯チューニングランプ１８ｂは、マイク３１により収音された楽音の音高が境界音メモリ３６ｅに記憶された音名の音高以下であり、かつ里弦基準音メモリ３６ｃに記憶された音名の基準音高よりも高い偏差となった場合に点滅するランプである。この里弦♯チューニングランプ１８ｂの点滅により、二胡用チューナ１０の使用者は、里弦Ｇ１の張力を調整して、里弦Ｇ１の振動により出力される楽音の音高を低くする必要があることを認識することができる。
【００６３】
なお、マイク３１により収音された楽音の音高と里弦基準音メモリ３６ｃに記憶された音名の基準音高との偏差が±５セントの範囲となった場合には、里弦♭チューニングランプ１８ａ、および里弦♯チューニングランプ１８ｂが共に点灯する。これにより、二胡用チューナ１０の使用者は、里弦Ｇ１の調弦が完了したことを認識することができる。なお、二胡用チューナ１０の使用者が、外弦Ｇ２の調弦を行っている場合には、里弦♭チューニングランプ１８ａや里弦♯チューニングランプ１８ｂの点滅、或いは点灯により、二胡用チューナ１０の使用者は、外弦Ｇ２の振動により出力される楽音の音高を大幅に高くする必要があることを認識することができる。
【００６４】
外弦チューニングランプ１９は、外弦♭チューニングランプ１９ａ、および外弦♯チューニングランプ１９ｂを有している。外弦♭チューニングランプ１９ａは、マイク３１により収音された楽音の音高が境界音メモリ３６ｅに記憶された音名の音高よりも高く、かつ外弦基準音メモリ３６ｄに記憶された音名の基準音高よりも低い偏差となった場合に点滅するランプである。この外弦♭チューニングランプ１９ａの点滅により、二胡用チューナ１０の使用者は、外弦Ｇ２の張力を調整して、外弦Ｇ２の振動により出力される楽音の音高を高くする必要があることを認識することができる。
【００６５】
外弦♯チューニングランプ１９ｂは、マイク３１により収音された楽音の音高が境界音メモリ３６ｅに記憶された音名の音高よりも高く、かつ外弦基準音メモリ３６ｄに記憶された音名の基準音高よりも高い偏差となった場合に点滅するランプである。この外弦♯チューニングランプ１９ｂの点滅により、二胡用チューナ１０の使用者は、外弦Ｇ２の張力を調整して、外弦Ｇ２の振動により出力される楽音の音高を低くする必要があることを認識することができる。
【００６６】
なお、マイク３１により収音された楽音の音高と外弦基準音メモリ３６ｄに記憶された音名の基準音高との偏差が±５セントの範囲となった場合には、外弦♭チューニングランプ１９ａ、および外弦♯チューニングランプ１９ｂが共に点灯する。これにより、二胡用チューナ１０の使用者は、外弦Ｇ２の調弦が完了したことを認識することができる。ここで、二胡用チューナ１０の使用者が、里弦Ｇ１の調弦を行っている場合には、外弦♭チューニングランプ１９ａや外弦♯チューニングランプ１９ｂの点滅、或いは点灯により、二胡用チューナ１０の使用者は、里弦Ｇ１の振動により出力される楽音の音高を大幅に低くする必要があることを認識することができる。
【００６７】
次に、図４を参照して、ＣＰＵ３７により実行されるメイン処理について説明する。図４は、メイン処理を示したフローチャートである。このメイン処理は、二胡用チューナ１０の電源がオンされた場合に実行される処理であり、二胡用チューナ１０の電源がオンされている間、約１ｍｓ毎に定期的に実行される処理である。
【００６８】
メイン処理では、まず、初期設定が行われる（Ｓ１）。具体的には、チューナフラグ３６ａをオフに設定し（効果付与機能に設定すると共に、エフェクトモードとしてノーマルモードに設定し）、基準周波数フラグ３６ｂをオフに設定する（基準周波数を「４４０Ｈｚ」に設定する）。更に、里弦基準音メモリ３６ｃに音名「Ｄ４」を記憶させ、外弦基準音メモリ３６ｄに音名「Ａ４」を記憶させる（チューナ機能における標準モードに設定する）。なお、このＳ１の処理は、二胡用チューナ１０の電源がオンされて一度実行されると、電源がオンである期間中はスキップされる（実行されない）。
【００６９】
次に、チューナ機能設定処理（Ｓ２）が実行される。ここで、図５を参照して、チューナ機能設定処理について説明する。図５は、チューナ機能設定処理を示したフローチャートである。チューナ機能設定処理では、まず、チューナボタン１４が新たに長押しされたか否かを判定する（Ｓ１１）。新たな長押しであるか否かは、チューナボタン１４が２秒以上継続して押下されたか否かで判定される。チューナボタン１４が新たに長押しされたと判定された場合には（Ｓ１１：Ｙｅｓ）、既にチューナフラグ３６ａがオンであるか否か、即ち、既にチューナ機能が選択されているか否かが判定される（Ｓ１２）。チューナフラグ３６ａがオフであると判定された場合には（Ｓ１２：Ｎｏ）、現在選択されているのは効果付与機能であるので、これをチューナ機能に変更すべく、チューナフラグ３６ａをオンにする（Ｓ１４）。一方、チューナフラグ３６ａがオンであると判定された場合には（Ｓ１２：Ｙｅｓ）、既にチューナ機能が選択されているので、これを効果付与機能に変更すべく、チューナフラグ３６ａをオフにする（Ｓ１３）。
【００７０】
なお、Ｓ１１の処理で、チューナボタン１４が新たに長押しされていないと判定された場合には（Ｓ１１：Ｎｏ）、このチューナ機能設定処理を終了する。また、Ｓ１１の処理で、一旦、チューナボタン１４が新たに長押しされたと判定された（Ｓ１１：Ｙｅｓ）後も、継続してチューナボタン１４が押下されている場合には、その後に実行されるＳ１１の処理では、チューナボタン１４が新たに長押しされていないと判定される（Ｓ１１：Ｎｏ）。
【００７１】
図４の説明に戻る。チューナ機能設定処理（Ｓ２）の実行後、チューニングバリエーション処理（Ｓ３）が実行される。ここで、図６を参照して、チューニングバリエーション処理について説明する。チューニングバリエーション処理により、里弦Ｇ１に対応する基準音高、および外弦Ｇ２に対応する基準音高を、チューニングバリエーションテーブル３８ａに基づいて切り換えることができる。図６は、チューニングバリエーション処理を示したフローチャートである。チューニングバリエーション処理では、まず、チューナフラグ３６ａがオンであるか、即ち、現在、チューナ機能が選択されているか否かが判定される（Ｓ２１）。チューナフラグ３６ａがオンであれば（Ｓ２１：Ｙｅｓ）、里弦Ｇ１に対応する基準音高、および外弦Ｇ２に対応する基準音高を切り換えるチューニングバリエーション切換処理が実行される（Ｓ２２）。チューニングバリエーション処理（Ｓ２２）では、チューニングバリエーションテーブル３８ａを参照し、押下されたボタン（ディレイボタン１３ｂ、オクターブボタン１３ｃ、コーラスボタン１３ｄ、またはチューナボタン１４のいずれかのボタン）に応じて、里弦Ｇ１に対応する基準音高、および外弦Ｇ２に対応する基準音高を決定する。そして、チューニングバリエーションテーブル３８ａに基づいて決定された里弦Ｇ１に対応する基準音高、および外弦Ｇ２に対応する基準音高を、里弦基準音メモリ３６ｃ、および外弦基準音メモリ３６ｄにそれぞれ記憶する。なお、二胡用チューナ１０では、いずれかのボタンが押下されると、押下されたボタンを特定する情報がＲＡＭ３６の所定の領域に記憶される。そして、Ｓ２２の処理では、このＲＡＭ３６に記憶された情報を参照することで、押下されたボタンがいずれであるかを特定している。これは、後述するＳ２３の処理でも同様である。
【００７２】
Ｓ２１の処理で、チューナフラグ３６ａがオフであれば（Ｓ２１：Ｎｏ）、現在、効果付与機能が選択されているので、ＤＳＰ３３に入力されたデジタル信号に付与する効果（エフェクトモード）を切り換えるエフェクト切換処理が実行される（Ｓ２3）。エフェクト切換処理（Ｓ２３）では、エフェクトテーブル３８ｃを参照し、押下されたボタン（ディレイボタン１３ｂ、オクターブボタン１３ｃ、またはコーラスボタン１３ｄのいずれかのボタン）に応じて、ＤＳＰ３３に入力されたデジタル信号に付与する効果（エフェクトモード）を決定する。そして、エフェクトテーブル３８ｃに基づいて決定されたエフェクトモードを、ＲＡＭ３６の所定の領域に記憶する。このエフェクト切換処理により、ＤＳＰ３３に入力されたデジタル信号に付与する効果（エフェクトモード）を、エフェクトテーブル３８ｃに基づいて切り換えることができる。
【００７３】
上述した通り、チューニングバリエーション処理では、チューニングバリエーションテーブル３８ａを参照し、押下されたボタン（ディレイボタン１３ｂ、オクターブボタン１３ｃ、コーラスボタン１３ｄ、またはチューナボタン１４のいずれかのボタン）に応じて、里弦Ｇ１に対応する基準音高、および外弦Ｇ２に対応する基準音高の両方を決定する。よって、調弦を行う者が、例えば、里弦Ｇ１に対応する基準音高の音名は認識しているものの、外弦Ｇ２に対応する基準音高の音名を認識していない場合であっても、里弦Ｇ１に対する基準音高の音名を頼りに押下するボタンを決定できるので、里弦Ｇ１に対する基準音高の設定に加えて、認識していない外弦Ｇ２に対する基準音高の設定も正確に行うことができる。
【００７４】
図４の説明に戻る。チューニングバリエーション処理（Ｓ３）の実行後、基準周波数設定処理（Ｓ４）が実行される。ここで、図７を参照して、ＣＰＵ３７により実行される基準周波数設定処理について説明する。図７は、基準周波数設定処理を示したフローチャートである。基準周波数設定処理は、チューナ機能が選択されている場合には、基準周波数を「４４０Ｈｚ」、または「４４２Ｈｚ」のいずれかに設定する一方、効果付与機能が選択されている場合には、リバーブモード、またはノーマルモードのいずれかのエフェクトモードに設定する処理である。
【００７５】
基準周波数設定処理では、まず、リバーブボタン１３ａが新たに押下されたか否かが判定される（Ｓ３１）。リバーブボタン１３ａが新たに押下されていないと判定された場合には（Ｓ３１：Ｎｏ）、この基準周波数設定処理を終了する。
【００７６】
一方、リバーブボタン１３ａが新たに押下されたと判定された場合には（Ｓ３１：Ｙｅｓ）、チューナフラグ３６ａがオンであるか、即ち、現在、チューナ機能が選択されているか否かが判定される（Ｓ３２）。チューナフラグ３６ａがオンであると判定された場合には（Ｓ３２：Ｙｅｓ）、現在、チューナ機能が選択されているので、基準周波数を変更するＳ３３〜Ｓ３５の処理に移行する。Ｓ３３の処理では、基準周波数フラグ３６ｂがオフであるか、即ち、現在、基準周波数が「４４０Ｈｚ」に設定されているか否かが判定される（Ｓ３３）。
【００７７】
基準周波数フラグ３６ｂがオフであれば（Ｓ３３：Ｙｅｓ）、現在、基準周波数が「４４０Ｈｚ」に設定されているので、基準周波数フラグ３６ｂをオンに設定して（Ｓ３４）、基準周波数を「４４２Ｈｚ」に変更する。一方、基準周波数フラグ３６ｂがオンであれば（Ｓ３３：Ｎｏ）、現在、基準周波数が「４４２Ｈｚ」に設定されているので、基準周波数フラグ３６ｂをオフに設定して（Ｓ３５）、基準周波数を「４４０Ｈｚ」に変更する。
【００７８】
一方、Ｓ３２の処理で、チューナフラグ３６ａがオフであると判定された場合には（Ｓ３２：Ｎｏ）、現在、効果付与機能が選択されているので、リバーブモードの設定を行うＳ３６〜Ｓ３８の処理に移行する。Ｓ３６の処理では、既にリバーブモードが設定されているか否かが判定される（Ｓ３６）。リバーブモードが設定されていないと判定された場合には（Ｓ３６：Ｎｏ）、既に設定されているエフェクトモード（ディレイモード、オクターブモード、コーラスモード、またはノーマルモードのいずれかのモード）に換えて、リバーブモードを設定する（Ｓ３８）。一方で、既にリバーブモードが設定されていると判定された場合には（Ｓ３６：Ｙｅｓ）、リバーブモードを解除して、ノーマルモードに設定する（Ｓ３７）。
【００７９】
図４の説明に戻る。基準周波数設定処理（Ｓ４）の実行後、チューニング表示処理（Ｓ５）が実行される。チューニング表示処理が実行された後は、このメイン処理が終了する。ここで、図８を参照して、ＣＰＵ３７により実行されるチューニング表示処理について説明する。図８は、チューニング表示処理を示したフローチャートである。なお、チューニング表示処理では、マイク３１により収音された楽音の音高（検出音高メモリ３６ｆに記憶された音高）に応じて、その収音された楽音の音高と里弦基準音メモリ３６ｃに記憶された音名の基準音高との偏差を里弦チューニングランプ１８に表示する、またはその収音された楽音の音高と外弦基準音メモリ３６ｄに記憶された音名の基準音高との偏差を外弦チューニングランプ１９に表示するかのいずれかの処理が実行される。
【００８０】
チューニング表示処理では、まず、チューナフラグ３６ａがオンであるか否か、即ち、現在、チューナ機能が選択されているか否かが判定される（Ｓ５１）。チューナフラグ３６ａがオフであると判定されると（Ｓ５１：Ｎｏ）、現在、効果付与機能が選択されているので、このチューニング表示処理を終了する。
【００８１】
一方、チューナフラグ３６ａがオンであると判定されると（Ｓ５１：Ｙｅｓ）、現在、チューナ機能が選択されているので、処理をＳ５２以降の処理へ移行する。Ｓ５２の処理では、チューニングバリエーション切換処理（図６のＳ２３の処理）が実行されて、チューニングバリエーションが新たに切り換えられたか否かが判定される（Ｓ５２）。チューニングバリエーションが新たに切り換えられたと判定された場合には（Ｓ５２：Ｙｅｓ）、境界音の音高を切り換えるべく、里弦基準音メモリ３６ｃに記憶された音名に対応する境界音の音名を、境界音テーブル３８ｂから読み出す（Ｓ５３）。そして、読み出した境界音の音名を、境界音メモリ３６ｅに記憶する（Ｓ５４）。なお、Ｓ５４の処理では、境界音メモリ３６ｅに記憶された音名に対して、基準周波数に応じた周波数が割り当てられる（設定される）処理も実行されている。
【００８２】
なお、チューニングバリエーションが切り換えられていないと判定された場合には（Ｓ５２：Ｎｏ）、基準音の音高を切り換える必要がないので、Ｓ５３、およびＳ５４の処理をスキップする。
【００８３】
次に、検出音高メモリ３６ｆに記憶された音高（周波数）を読み出して（Ｓ５５）、読み出した音高は、境界音メモリ３６ｅに記憶された音名に割り当てられた音高（周波数）以下であるか否かが判定される（Ｓ５６）。Ｓ５５の処理で読み出した音高が、境界音メモリ３６ｅに記憶された音名に割り当てられた音高（周波数）以下であると判定された場合には（Ｓ５６：Ｙｅｓ）、読み出した音高が里弦Ｇ１に対する基準音高に近いことを示している。よって、Ｓ５５の処理で読み出した音高と里弦基準音メモリ３６ｃに記憶された音名の基準音高との偏差を里弦チューニングランプ１８に表示する処理であるＳ５７〜Ｓ５９の処理へ移行する。
【００８４】
Ｓ５７の処理では、里弦基準音メモリ３６ｃに記憶された音名に割り当てられた音高（周波数）とＳ５５の処理で検出音高メモリ３６ｆから読み出した音高との偏差を算出する（Ｓ５７）。
【００８５】
そして、算出された偏差に応じて、里弦♭チューニングランプ１８ａ、および里弦♯チューニングランプ１８ｂの表示態様を決定し、その態様により、里弦♭チューニングランプ１８ａ、および里弦♯チューニングランプ１８ｂの表示を行う（Ｓ５８）。なお、里弦♭チューニングランプ１８ａ、および里弦♯チューニングランプ１８ｂの表示態様については、図９を用いて後述する。Ｓ５８の処理後、外弦♭チューニングランプ１９ａ、および外弦♯チューニングランプ１９ｂの表示をオフする（Ｓ５９）。これにより、不要である外弦♭チューニングランプ１９ａ、および外弦♯チューニングランプ１９ｂの表示が残ることがないので、里弦♭チューニングランプ１８ａ、および里弦♯チューニングランプ１８ｂのみを確実に表示することができる。
【００８６】
一方、Ｓ５５の処理で読み出した音高が、境界音メモリ３６ｅに記憶された音名に割り当てられた音高（周波数）より高いと判定された場合には（Ｓ５６：Ｎｏ）、読み出した音高が外弦Ｇ２に対する基準音高に近いことを示している。よって、Ｓ５５の処理で読み出した音高と外弦基準音メモリ３６ｄに記憶された音名の基準音高との偏差を外弦チューニングランプ１９に表示する処理であるＳ６０〜Ｓ６２の処理へ移行する。
【００８７】
Ｓ６０の処理では、外弦基準音メモリ３６ｄに記憶された音名に割り当てられた音高（周波数）とＳ５５の処理で検出音高メモリ３６ｆから読み出した音高との偏差を算出する（Ｓ６０）。
【００８８】
そして、算出された偏差に応じて、外弦♭チューニングランプ１９ａ、および外弦♯チューニングランプ１９ｂの表示態様を決定し、その態様により、外弦♭チューニングランプ１９ａ、および外弦♯チューニングランプ１９ｂの表示を行う（Ｓ６１）。なお、外弦♭チューニングランプ１９ａ、および外弦♯チューニングランプ１９ｂの表示態様については、図９を用いて後述する。Ｓ６１の処理後、里弦♭チューニングランプ１８ａ、および里弦♯チューニングランプ１８ｂの表示をオフする（Ｓ６２）。これにより、不要である里弦♭チューニングランプ１８ａ、および里弦♯チューニングランプ１８ｂの表示が残ることがないので、外弦♭チューニングランプ１９ａ、および外弦♯チューニングランプ１９ｂのみを確実に表示することができる。
【００８９】
上述した通り、チューニング表示処理では、検出音高メモリ３６ｆから読み出された音高が境界音メモリ３６ｅに記憶された音名に割り当てられた音高（周波数）以下である場合には、その読み出された音高と里弦基準音メモリ３６ｃに記憶された音名の基準音高との偏差を、里弦♭チューニングランプ１８ａ、および里弦♯チューニングランプ１８ｂを用いて表示させる。一方、検出音高メモリ３６ｆから読み出された音高が境界音メモリ３６ｅに記憶された音名に割り当てられた音高（周波数）より高い場合には、その読み出された音高と外弦基準音メモリ３６ｄに記憶された音名の基準音高との偏差を、外弦♭チューニングランプ１９ａ、および外弦♯チューニングランプ１９ｂを用いて表示させる。
【００９０】
次に、図９を参照して、チューニングランプ１８，１９の表示態様について説明する。図９は、調弦中の楽音の音高（マイク３１により収音され、検出音高メモリ３６ｆに記憶される、二胡チューナ１０の使用者が調弦のために演奏することにより発音した弦の音高）に応じて変化する、チューニングランプ１８，１９の表示態様を示した一覧図である。なお、図９では、代表として、里弦Ｇ１に対応する基準音高の音名が「Ｄ４」であり（里弦基準音メモリ３６ｃに記憶された音名が「Ｄ４」であり）、外弦Ｇ２に対応する基準音高の音名が「Ａ４」であり（外弦基準音メモリ３６ｄに記憶された音名が「Ａ４」であり）、境界音の音名が「Ｆ４」である場合（境界音メモリ３６ｅに記憶された音名が「Ｆ４」である場合（標準モードである場合））における各表示態様を示している。
【００９１】
まず、調弦中の楽音の音高が境界音の音名「Ｆ４」の音高以下の場合には、里弦♭チューニングランプ１８ａと里弦♯チューニングランプ１８ｂとが使用される状態となる。
【００９２】
この状態において、調弦中の楽音の音高と里弦Ｇ１に対応する基準音高の音名「Ｄ４」の音高との偏差が、３半音、即ち−３００セント以下である場合には、里弦♭チューニングランプ１８ａがゆっくり点滅する。それ以外の里弦♯チューニングランプ１８ｂ、外弦♭チューニングランプ１９ａ、および外弦♯チューニングランプ１９ｂは消灯となる。
【００９３】
次に、調弦中の楽音の音高と里弦Ｇ１に対応する基準音高の音名「Ｄ４」の音高との偏差が、−３００セントより大きく、−５セント未満である場合には、調弦中の楽音の音高が里弦Ｇ１に対応する基準音高の音名「Ｄ４」の音高に近づくにつれて、里弦♭チューニングランプ１８ａが徐々に早く点滅する（里弦Ｇ１に対応する基準音高の音名「Ｄ４」の音高から遠ざかるにつれて、里弦♭チューニングランプ１８ａが徐々に遅く点滅する）。それ以外の里弦♯チューニングランプ１８ｂ、外弦♭チューニングランプ１９ａ、および外弦♯チューニングランプ１９ｂは消灯となる。
【００９４】
そして、調弦中の楽音の音高と里弦Ｇ１に対応する基準音高の音名「Ｄ４」の音高との偏差が−５セント以上、＋５セント以下である場合には、里弦♭チューニングランプ１８ａ、および里弦♯チューニングランプ１８ｂが共に点灯する。それ以外の外弦♭チューニングランプ１９ａ、および外弦♯チューニングランプ１９ｂは消灯となる。このとき、里弦Ｇ１が調弦されている場合には、里弦Ｇ１に対応する基準音高の音名「Ｄ４」の音高と里弦Ｇ１の振動により出力される調弦中の楽音の音高がほぼ一致することとなり、里弦Ｇ１の調弦が完了する。
【００９５】
更に、調弦中の楽音の音高と里弦Ｇ１に対応する基準音高の音名「Ｄ４」の音高との偏差が＋５セントより大きく、境界音の音名「Ｆ４」の音高以下である場合には、調弦中の楽音の音高が里弦Ｇ１に対応する基準音高の音名「Ｄ４」の音高に近づくにつれて、里弦♯チューニングランプ１８ｂが徐々に早く点滅する（里弦Ｇ１に対応する基準音高の音名「Ｄ４」の音高から遠ざかるにつれて、里弦♯チューニングランプ１８ｂが徐々に遅く点滅する）。それ以外の里弦♭チューニングランプ１８ａ、外弦♭チューニングランプ１９ａ、および外弦♯チューニングランプ１９ｂは消灯となる。
【００９６】
次に、調弦中の楽音の音高が境界音の音名「Ｆ４」の音高よりも高い場合には、外弦♭チューニングランプ１９ａと外弦♯チューニングランプ１９ｂとが使用される状態となる。
【００９７】
この状態において、調弦中の楽音の音高と外弦Ｇ２に対応する基準音高の音名「Ａ４」の音高との偏差が−３００セント以下である場合には、外弦♭チューニングランプ１９ａがゆっくり点滅する。それ以外の里弦♭チューニングランプ１８ａ、里弦♯チューニングランプ１８ｂ、および外弦♯チューニングランプ１９ｂは消灯となる。
【００９８】
次に、調弦中の楽音の音高と外弦Ｇ２に対応する基準音高の音名「Ａ４」の音高との偏差が−３００セントより大きく、−５セント未満である場合には、調弦中の楽音の音高が外弦Ｇ２に対応する基準音高の音名「Ａ４」の音高に近づくにつれて、外弦♭チューニングランプ１９ａが徐々に早く点滅する（音名「Ａ４」の音高から遠ざかるにつれて、外弦♭チューニングランプ１９ａが徐々に遅く点滅する）。それ以外の里弦♭チューニングランプ１８ａ、里弦♯チューニングランプ１８ｂ、および外弦♯チューニングランプ１９ｂは消灯となる。
【００９９】
そして、調弦中の楽音の音高と外弦Ｇ２に対応する基準音高の音名「Ａ４」の音高との偏差が−５セント以上、＋５セント以下である場合には、外弦♭チューニングランプ１９ａ、および外弦♯チューニングランプ１９ｂが共に点灯する。それ以外の里弦♭チューニングランプ１８ａ、および里弦♯チューニングランプ１８ｂは消灯となる。このとき、外弦が調弦されている場合には、外弦Ｇ２に対応する基準音高の音名「Ａ４」と外弦Ｇ２の振動により出力される調弦中の楽音の音高がほぼ一致することとなり、外弦Ｇ２の調弦が完了する。
【０１００】
更に、調弦中の楽音の音高と外弦Ｇ２に対応する基準音高の音名「Ａ４」の音高との偏差が＋５セントより大きく、＋３００セント未満である場合には、調弦中の楽音の音高が音名「Ａ４」の音高に近づくにつれて、外弦♯チューニングランプ１９ｂが徐々に早く点滅する（音名「Ａ４」の音高から遠ざかるにつれて、外弦♯チューニングランプ１９ｂが徐々に遅く点滅する）。それ以外の里弦♭チューニングランプ１８ａ、里弦♯チューニングランプ１８ｂ、および外弦♭チューニングランプ１９ａは消灯となる。
【０１０１】
最後に、調弦中の楽音の音高と外弦Ｇ２に対応する基準音高の音名「Ａ４」の音高との偏差が＋３００セント以上である場合には、外弦♯チューニングランプ１９ｂがゆっくり点滅する。それ以外の里弦♭チューニングランプ１８ａ、里弦♯チューニングランプ１８ｂ、および外弦♭チューニングランプ１９ａは消灯となる。
【０１０２】
上述した通り、本実施形態の二胡用チューナ１０によれば、調弦中の楽音の音高が境界音の音名「Ｆ４」の音高以下の場合には、言い換えれば、調弦中の楽音の音高が里弦Ｇ１に対応する基準音高の音名「Ｄ４」の音高に近い場合には、外弦♭チューニングランプ１９ａ、および外弦♯チューニングランプ１９ｂを消灯した上で、里弦♭チューニングランプ１８ａと里弦♯チューニングランプ１８ｂとを使用して偏差を表示する。よって、里弦Ｇ１を基準音高に調弦する場合には、まず、里弦♭チューニングランプ１８ａ、または里弦♯チューニングランプ１８ｂのいずれかが点滅するように調弦を開始し、調弦完了時には、里弦♭チューニングランプ１８ａ、および里弦♯チューニングランプ１８ｂが同時に点灯するように調弦すれば良い。従って、二胡用チューナ１０の使用者が、設定すべき里弦Ｇ１に対する基準音高を認識していない場合であっても、その使用者は、里弦Ｇ１を基準音高に容易に設定することができる。
【０１０３】
同様に、本実施形態の二胡用チューナ１０によれば、調弦中の楽音の音高が境界音の音名「Ｆ４」の音高より高い場合には、言い換えれば、調弦中の楽音の音高が外弦Ｇ２に対応する基準音高の音名「Ａ４」の音高に近い場合には、里弦♭チューニングランプ１８ａ、および里弦♯チューニングランプ１８ｂを消灯した上で、外弦♭チューニングランプ１９ａと外弦♯チューニングランプ１９ｂとを使用して偏差を表示する。よって、外弦Ｇ２を基準音高に調弦する場合には、まず、外弦♭チューニングランプ１９ａ、または外弦♯チューニングランプ１９ｂのいずれかが点滅するように調弦を開始し、調弦完了時には、外弦♭チューニングランプ１９ａ、および外弦♯チューニングランプ１９ｂが同時に点灯するように調弦すれば良い。従って、二胡用チューナ１０の使用者が、設定すべき外弦Ｇ２に対する基準音高を認識していない場合であっても、その使用者は、外弦Ｇ２を基準音高に容易に設定することができる。
【０１０４】
以上、本実施形態に基づき本発明を説明したが、本発明は上記形態に何ら限定されるものではなく、本発明の趣旨を逸脱しない範囲内で種々の変形改良が可能であることは容易に推察できるものである。
【０１０５】
本実施形態の二胡用チューナ１０においては、里弦Ｇ１、または外弦Ｇ２の振動により出力される楽音を収音する装置として、マイク３１を使用したが、これに限られるものではなく、楽音を収音する装置として、圧電素子を利用した圧電ピックアップを使用しても良い。なお、圧電ピックアップを使用する場合には、その圧電ピックアップを琴筒、或いは駒下に配設すれば良い。
【０１０６】
また、本実施形態の二胡用チューナ１０においては、里弦チューニングランプ１８、および外弦チューニングランプ１９をコントローラ１２の長手方向、即ち、棹１０１の長手方向に並べて配設したが、これに限られるものではない。即ち、里弦チューニングランプ１８、および外弦チューニングランプ１９を短手方向に並べて配設しても良い。特に、この場合には、里弦Ｇ１と外弦Ｇ２との並びに合わせて、里弦チューニングランプ１８を棹１０１から近い位置に配設し、外弦チューニングランプ１９を棹１０１から遠い位置に配設すれば良い。このように配設することで、二胡Ｎを演奏して間もない初心者であっても、違和感なく調弦を行うことができる。更に、里弦チューニングランプ１８、外弦チューニングランプ１９、エフェクトボタン１３やチューナボタン１４の一部、またはこれら全部を小型化して本体１１に組み込むと共に、その本体１１にコンパクトに配列することで、コントローラ１２をなくしても良い。他にも、チューナ機能を実現する電子回路だけを本体１１から取り出すと共に、その電子回路に電力を供給するバッテリーを、里弦チューニングランプ１８、外弦チューニングランプ１９、表示ランプＬ１〜Ｌ５、エフェクトボタン１３、およびチューナボタン１４に加えてコントローラ１２に内蔵してもよい。この構成の場合、弦の振動により出力された楽音を収音する方法としては、前述のマイク３１により収音する方法の他、コントローラ１２にマイクロフォンを内蔵して、その内蔵したマイクロフォンから収音する方法、棹１０１に直接圧電ピックアップを取付けることにより収音する方法や、或いはコントローラ１２に圧電ピックアップを内蔵して、コントローラ１２を棹１０１に装着した状態で集音する方法が例示される。
【０１０７】
また、本実施形態の二胡用チューナ１０においては、里弦チューニングランプ１８、および外弦チューニングランプ１９を点滅あるいは点灯させることで、マイク３１から収音された楽音の音高と各基準音高との偏差を表示したが、これに加えて、里弦チューニングランプ１８と外弦チューニングランプ１９との発光色をそれぞれ別々にしても良い。この場合には、各チューニングランプが配設された場所に加えて、発光する色によっても、表示されている偏差が、里弦Ｇ１に対する基準音高によるものか、外弦Ｇ２に対する基準音高によるものかを判別することができる。
【０１０８】
また、本実施形態の二胡用チューナ１０においては、里弦チューニングランプ１８、および外弦チューニングランプ１９にＬＥＤを用いたが、これに限られるものではなく、液晶ディスプレイや有機ＥＬディスプレイを用いても良い。
【０１０９】
また、本実施形態の二胡用チューナ１０においては、里弦チューニングランプ１８に偏差を表示している場合には、外弦チューニングランプ１９をオフにして、外弦チューニングランプ１９に偏差を表示している場合には、里弦チューニングランプ１８をオフしたが、これに限られるものではない。例えば、里弦チューニングランプ１８、および外弦チューニングランプ１９に液晶ディスプレイや有機ＥＬディスプレイを用いた場合には、里弦チューニングランプ１８に偏差が表示されているときには、外弦チューニングランプ１９をオフせずに、外弦チューニングランプ１９に、例えば「里弦Ｇ１をチューニング中です」とコメントを表示するようにしても良い。これにより、二胡用チューナ１０の使用者を、偏差が表示されているチューニングランプに注目させることができる。
【０１１０】
また、本実施形態の二胡用チューナ１０においては、調弦中の楽音の音高が、境界音を基準に、境界音の音高以下であれば、里弦チューニングランプ１８を点灯させるとともに外弦チューニングランプ１９を消灯させる一方、調弦中の楽音の音高が、境界音の音高よりも高ければ、里弦チューニングランプ１８を消灯させると共に外弦チューニングランプ１９を点灯させるように構成したが、これに限られるものではない。例えば里弦Ｇ１の調弦を行う際、里弦チューニングランプ１８の点滅を見ながら境界音の音高以下の楽音を途切れることなく持続させる演奏を行い、その演奏中に弦巻を巻いて音高を徐々に上げていく場合、その音高が境界音を越えた場合であっても、調弦中の楽音が持続して演奏されている限りは里弦チューニングランプ１８の点滅を続けると共に、外弦チューニングランプ１９を消灯したままとしても良い。この構成により、例えば、里弦Ｇ１の調弦中は、常に里弦チューニングランプ１８の表示だけに注目すれば良いので、二胡用チューナ１０の使用者は、里弦Ｇ１を容易に基準音高に調弦することができる。
【０１１１】
また、本実施形態の二胡用チューナ１０においては、マイク３１により収音された楽音の音高が各基準音高の±５セントの範囲内となった場合に、里弦チューニングランプ１８、または外弦チューニングランプ１９を点灯させるように構成したが、これに限られるものでない。即ち、マイク３１により収音された楽音の音高が各基準音高の±３セントの範囲内となった場合に、里弦チューニングランプ１８、または外弦チューニングランプ１９を点灯させるように構成しても良いし、マイク３１により収音された楽音の音高が各基準音高の±１０セントの範囲内となった場合に、里弦チューニングランプ１８、または外弦チューニングランプ１９を点灯させるように構成しても良い。
【０１１２】
また、本実施形態の二胡用チューナ１０においては、マイク３１により楽音が収音された場合に、ＤＳＰ３３は、Ａ／Ｄ変換器３２から出力されたデジタル信号の波形のゼロクロスを検知してＣＰＵ３７に通知し、ＣＰＵ３７は、この通知に基づいてマイク３１により収音された楽音の周期（音高）を検出したが、これに限られるものではない。即ち、ＤＳＰ３３は、Ａ／Ｄ変換器３２からデジタル信号が出力されてから数十ｍｓ経過した後に、Ａ／Ｄ変換器３２から出力されたデジタル信号の波形のゼロクロスを検知するように構成しても良い。或いは、ＣＰＵ３７は、ＤＳＰ３３からゼロクロスの通知が出力されてから数十ｍｓ経過した後に、マイク３１により収音された楽音の周期（音高）を検出するように構成しても良い。これらの場合には、マイク３１により楽音が収音されてから数十ｍｓ経過した後に、楽音の周期（音高）を検出するので、安定した楽音を用いてその楽音の周期（音高）を検出することができる。
【０１１３】
また、本実施形態の二胡用チューナ１０においては、マイク３１から収音された楽音の音高と各基準音高との偏差を算出後、その偏差を、里弦チューニングランプ１８、または外弦チューニングランプ１９に表示するように構成したが、これに限られるものではない。即ち、マイク３１から収音された楽音の音高と各基準音高との偏差を算出後、その偏差が所定の単位時間内において予め定められた範囲内の変化に収束した場合に、その偏差を、里弦チューニングランプ１８、または外弦チューニングランプ１９に表示するように構成しても良い。この場合には、里弦チューニングランプ１８、または外弦チューニングランプ１９の表示態様が短時間で著しく変化することがなく、その表示を安定させることができる。
【図面の簡単な説明】
【０１１４】
【図１】（ａ）は、本実施形態における二胡用チューナの外観を示した図であり、（ｂ）は、二胡用チューナの一部であるコントローラの矢印Ｉｂ視における外観の拡大図である。
【図２】二胡用チューナの電気的構成を示すブロック図である。
【図３】（ａ）は、チューニングバリエーションテーブルの内容を模式的に示した図であり、（ｂ）は、境界音テーブルの内容を模式的に示した図であり、（ｃ）は、エフェクトテーブルの内容を模式的に示した図である。
【図４】メイン処理を示したフローチャートである。
【図５】チューナ機能設定処理を示したフローチャートである。
【図６】チューニングバリエーション処理を示したフローチャートである。
【図７】基準周波数設定処理を示したフローチャートである。
【図８】チューニング表示処理を示したフローチャートである。
【図９】マイクにより収音された楽音の音高に応じて変化する、里弦チューニングランプの表示態様、および外弦チューニングランプの表示態様を示した一覧図である。
【符号の説明】
【０１１５】
１０          二胡用チューナ（調弦装置）
１２          コントローラ（筐体）
１３ｂ〜１３ｄ，１４      ボタン（選択手段の一部）
１８          里弦チューニングランプ（第１表示手段）
１９          外弦チューニングランプ（第２表示手段）
３１          マイク（収音手段）
３３          ＤＳＰ（音高検出手段の一部）
３６ｃ        里弦基準音メモリ（第１基準音高設定手段の一部）
３６ｄ        外弦基準音メモリ（第２基準音高設定手段の一部）
３６ｅ        境界音メモリ（境界音高設定手段の一部）
３７          ＣＰＵ（音高検出手段の一部、第１基準音高設定手段の一部、第２基準音高設定手段の一部、境界音高設定手段の一部）
３８          ＲＯＭ（基準音高記憶手段の一部）
３８ａ        チューニングバリエーションテーブル（基準音高記憶手段の一部）
１００        琴托
１０１        棹
Ｇ１          里弦
Ｇ２          外弦
Ｎ            二胡（弦楽器）
Ｓ２３        チューニングバリエーション切換処理（選択手段の一部）
Ｓ５６        チューニング表示処理（音高判定手段）
Ｓ５８        チューニング表示処理（第１表示制御手段）
Ｓ５９        チューニング表示処理（第１用停止手段）
Ｓ６１        チューニング表示処理（第２表示制御手段）
Ｓ６２        チューニング表示処理（第２用停止手段）
【図１】
2009288342.tif 000003
【図２】
2009288342.tif 000004
【図３】
2009288342.tif 000005
【図４】
2009288342.tif 000006
【図５】
2009288342.tif 000007
【図６】
2009288342.tif 000008
【図７】
2009288342.tif 000009
【図８】
2009288342.tif 000010
【図９】
2009288342.tif 000011
【手続補正書】
【提出日】平成21年5月1日(2009.5.1)
【手続補正１】
【補正対象書類名】図面
【補正対象項目名】図９
【補正方法】変更
【補正の内容】
【図９】
2009288342.tif 000012
【手続補正書】
【提出日】平成21年5月1日(2009.5.1)
【手続補正１】
【補正対象書類名】明細書
【補正対象項目名】全文
【補正方法】変更
【補正の内容】
【発明の詳細な説明】
【技術分野】
【０００１】
本発明は調弦装置に関し、特に、調弦を行う者が第１弦、および第２弦の調弦すべき基準音高を認識していない場合であっても、第１弦、および第２弦をそれぞれ基準音高に容易に設定することができる調弦装置に関するものである。
【背景技術】
【０００２】
ギター等の弦楽器の弦振動の音高（周波数）を検出し、その検出した音高と基準音高との偏差を表示することにより、弦楽器の調弦を行う楽器用調弦装置（チューナ）に関しては、例えば、特開２００４−５３７７９号公報や特開平５−６６７６７号公報に記載の調律装置が知られている。この特開２００４−５３７７９号公報に記載の調律装置は、ギター用の調律（調弦）装置であり、基準音高選択スイッチ１０３＿１の選択操作によりギターの各弦毎に基準音高を設定することで、各弦毎に設定された基準音高と弦振動による音高との偏差を表示するものである。また、特開平５−６６７６７号公報に記載の調律装置は、基準音高を設定することなく、検出した音高（弦振動による音高）に近い音名、およびその音名の音高に対する偏差の両方を表示器に表示するものである。
【特許文献１】特開２００４−５３７７９号公報
【特許文献２】特開平５−６６７６７号公報
【発明の開示】
【発明が解決しようとする課題】
【０００３】
ここで、上記の調律（調弦）装置を用いて、二胡を代表とする２つの弦から構成される弦楽器を調律（調弦）する場合には、次の問題点がある。即ち、特開２００４−５３７７９号公報の調律装置を用いる場合には、調律を行う者は、各弦に対応する基準音高を調律装置に間違いなく設定しなければならないので、特に各基準音高の記憶が曖昧である初心者は、調律装置を使用する度に、設定すべき各基準音高を確認する作業が必要になるという問題点があった。更に、調律を行う者は、調律装置に設定した２つの弦の各基準音高が、基準音高選択スイッチ１０３＿１のどの位置に対応して設定されたかを正確に記憶しておかなければならない。よって、もしこれを忘れた場合には、再度、調弦（チューニング）しようとする2つの弦の各弦に対応する基準音高を調律装置に設定し直さなければなら
ないという問題点があった。
【０００４】
加えて、特開平５−６６７６７号公報の調律装置を用いる場合には、検出した音高（弦振動による音高）に近い音名、およびその音名の音高に対する偏差の両方が表示器に表示されるので、調律を行う者は、この表示された音名と偏差との両方を確認しながら調律を行わなければならない。よって、調律作業は煩雑となり、直感的に行うことが出来ないという問題点があった。また、調律装置に調弦しようとする2つの弦の基準音高を予め設定
することができないので、調律を行う者は、調律すべき音高を、調弦しようとする2つの
弦の各弦に対応して正確に記憶しておかなければならない。よって、調律すべき各音高の記憶が曖昧である初心者は、調律装置を使用する度に、調律すべき各音高を確認する作業を行わなければならないという問題点があった。
【０００５】
本発明は、上述した問題点を解決するためになされたものであり、調弦を行う者が第１弦、および第２弦の調弦すべき基準音高を認識していない場合であっても、第１弦、および第２弦をそれぞれ基準音高に容易に設定することができる調弦装置を提供することを目的としている。
【課題を解決するための手段】
【０００６】
この目的を達成するために請求項１記載の調弦装置は、第１弦と第２弦とから構成される弦楽器から出力される楽音の音高を検出し、その検出した音高と予め設定された基準音高との偏差を表示するものであり、前記弦楽器から出力された楽音を収音する収音手段と、その収音手段により収音された楽音の音高を検出する音高検出手段と、前記第１弦に対する基準音高を設定する第１基準音高設定手段と、前記第２弦に対する基準音高を設定する第２基準音高設定手段と、前記音高検出手段により検出された音高と前記第１基準音高設定手段により設定された基準音高との偏差を表示する第１表示手段と、前記音高検出手段により検出された音高と前記第２基準音高設定手段により設定された基準音高との偏差を表示する第２表示手段とを備えている。
【０００７】
請求項２記載の調弦装置は、請求項１記載の調弦装置において、前記第１基準音高設定手段により設定される第１弦に対する基準音高は、前記第２基準音高設定手段により設定される第２弦に対する基準音高よりも低い音高に設定されるものであり、前記第１弦に対する基準音高と前記第２弦に対する基準音高との間にある音高のうち、１の音高を境界音高として設定する境界音高設定手段と、その境界音高設定手段により設定された境界音高と前記音高検出手段により検出された音高とを比較して、いずれの音高が高いかを判定する音高判定手段と、前記音高検出手段により検出された音高が前記境界音高設定手段により設定された境界音高以下、またはその境界音高より低いと前記音高判定手段により判定された場合には、前記第１表示手段に前記偏差を表示させる第１表示制御手段と、前記音高検出手段により検出された音高が前記境界音高設定手段により設定された境界音高より高い、またはその境界音高以上と前記音高判定手段により判定された場合には、前記第２表示手段に前記偏差を表示させる第２表示制御手段とを備えている。
【０００８】
なお、音高検出手段により検出された音高が境界音高設定手段により設定された境界音高以下、またはその境界音高より低いと音高判定手段により判定され、第１表示手段に偏差が表示される場合には、第２表示手段を、停止状態としても良いし、表示可能な状態としても良い。音高検出手段により検出された音高が境界音高設定手段により設定された境界音高以下、またはその境界音高より低いと音高判定手段により判定されたときに、第２表示手段を表示可能な状態とした場合には、第２表示手段には、偏差の表示に代えて、例えば、第１表示手段に表示される偏差に注目することを促すメッセージ等を表示しても良い。なお、音高検出手段により検出された音高が境界音高設定手段により設定された境界音高より高い、またはその境界音高以上と音高判定手段により判定された場合には、第１表示手段と第２表示手段とを上記した構成とは逆の構成にすれば良い。
【０００９】
請求項３記載の調弦装置は、請求項１、または２に記載の調弦装置において、前記第１表示制御手段は、前記音高検出手段により検出された音高が前記境界音高設定手段により設定された境界音高以下、またはその境界音高より低いと前記音高判定手段により判定された場合には、前記第２表示手段の表示を停止する第１用停止手段を備え、前記第２表示制御手段は、前記音高検出手段により検出された音高が前記境界音高設定手段により設定された境界音高より高い、またはその境界音高以上と前記音高判定手段により判定された場合には、前記第１表示手段の表示を停止する第２用停止手段を備えている。
【００１０】
請求項４記載の調弦装置は、請求項１から３のいずれかに記載の調弦装置において、前記第１弦に対する基準音高と前記第２弦に対する基準音高とを一組の音高情報とし、その音高情報を複数組記憶する基準音高記憶手段と、その基準音高記憶手段に記憶された複数組の音高情報から一組の音高情報を選択する選択手段とを備え、前記第１基準音高設定手段は、前記第１弦に対する基準音高の設定を、前記選択手段により選択された一組の音高情報の第１弦に対する基準音高に応じて変更するものであり、前記第２基準音高設定手段は、前記第２弦に対する基準音高の設定を、前記選択手段により選択された一組の音高情報の第２弦に対する基準音高に応じて変更するものである
【００１１】
請求項５記載の調弦装置は、請求項１から４のいずれかに記載の調弦装置において、前記弦楽器は、前記第１弦を里弦とし、前記第２弦を外弦として、その里弦、および外弦を棹から所定の間隔を隔てた位置に配設する二胡であり、その二胡の棹に装着されると共に前記所定の間隔を隔てて里弦、および外弦を配設することにより生じる空間に配置される筐体を備え、前記第１表示手段、および第２表示手段は、その筐体に設けられている。
【００１２】
請求項６記載の調弦装置は、請求項５記載の調弦装置において、前記筐体に配設される第１表示手段、および第２表示手段は、前記筐体が前記棹に装着された場合にその棹の長手方向に沿って並べて設けられており、前記第２表示手段は、前記第１表示手段と前記二胡の琴托との間となる位置に配置されている。
【発明の効果】
【００１３】
請求項１記載の調弦装置によれば、第１基準音高設定手段は第１弦に対する基準音高を設定し、第２基準音高設定手段は第２弦に対する基準音高を設定する。すると、第１表示手段によって、第１基準音高設定手段により設定された基準音高と音高検出手段により検出された音高との偏差が表示される。また、第２表示手段によって、第２基準音高設定手段により設定された基準音高と音高検出手段により検出された音高との偏差が表示される。このように、第１表示手段は、第１基準音高設定手段により設定された第１弦に対する基準音高を基準とした偏差を表示し、第２表示手段は、第２基準音高設定手段により設定された第２弦に対する基準音高を基準とした偏差を表示する。よって、第１表示手段により表示された偏差をなくすように第１弦を調弦し、第２表示手段により表示された偏差をなくすように第２弦を調弦すれば、調弦を行う者が第１弦、および第２弦の調弦すべき基準音高を認識していない場合であっても、第１弦、および第２弦の音高を、それぞれに対応する基準音高に容易に設定することができるという効果がある。
【００１４】
請求項２記載の調弦装置によれば、請求項１記載の調弦装置の奏する効果に加え、音高判定手段は、境界音高設定手段により設定された境界音高と音高検出手段により検出された音高とを比較して、いずれの音高が高いかを判定する。そして、音高判定手段によって、音高検出手段により検出された音高が境界音高設定手段により設定された境界音高以下、またはその境界音高より低いと判定された場合には、第１表示制御手段は、音高検出手段により検出された音高と第１基準音高設定手段により設定された基準音高との偏差を第１表示手段に表示させる。一方、音高判定手段によって、音高検出手段により検出された音高が境界音高設定手段により設定された境界音高より高い、またはその境界音高以上と判定された場合には、第２表示制御手段は、音高検出手段により検出された音高と第２基準音高設定手段により設定された基準音高との偏差を第２表示手段に表示させる。このように、音高検出手段により検出された音高に応じて第１表示手段、または第２表示手段のいずれか一方に偏差を表示させるので、調弦を行う者は、第１表示手段、および第２調弦手段の表示の両方を見ることなく、調弦を行う弦に対応する表示手段、すなわち第１弦の調弦の際には第１表示手段、第２弦の調律の際には第２表示手段に表示された偏差を見て調弦を行うことができる。よって、第１弦、および第２弦の音高を、それぞれに対応する基準音高に容易に設定することができるという効果がある。
【００１５】
また、第１基準音高設定手段により設定される第１弦に対する基準音高は、第２基準音高設定手段により設定される第２弦に対する基準音高よりも低い音高に設定されている。よって、第２弦の調弦を行っているときに、第１表示手段によって偏差が表示された場合には、第２弦の振動により出力された楽音の音高が、第２弦に対する基準音高より大幅に低いことを、調弦を行っている者に認識させることができるという効果がある。同様に、第１弦の調弦を行っているときに、第２表示手段によって偏差が表示された場合には、第１弦の振動により出力された楽音の音高が、第１弦に対する基準音高より大幅に高いことを、調弦を行っている者に認識させることができるという効果がある。
【００１６】
請求項３記載の調弦装置によれば、請求項１、または２に記載の調弦装置の奏する効果に加え、音高検出手段により検出された音高が境界音高設定手段により設定された境界音高以下、またはその境界音高より低いと音高判定手段により判定された場合には、第１用停止手段は、第２表示手段の表示を停止する。このように、音高検出手段により検出された音高が境界音高以下、またはその境界音高より低いと音高判定手段により判定された場合には、不要である第２表示手段の偏差の表示を停止することで、第１表示手段による偏差のみを確実に表示することができる。また、音高検出手段により検出された音高が境界音高設定手段により設定された境界音高より高い、またはその境界音高以上と前記音高判定手段により判定された場合には、第２用停止手段は、第１表示手段の表示を停止する。このように、音高検出手段により検出された音高が境界音高より高い、またはその境界音高以上と音高判定手段により判定された場合には、不要である第１表示手段の偏差の表示を停止することで、第２表示手段による偏差のみを確実に表示することができる。よって、第１弦、または第２弦の調弦が行われている場合には、第１表示手段による偏差、または第２表示手段による偏差のいずれか一方を確実に表示することができるという効果がある。
【００１７】
請求項４記載の調弦装置によれば、請求項１から３のいずれかに記載の調弦装置の奏する効果に加え、第１基準音高設定手段は、選択手段により選択された一組の音高情報の第１弦に対する基準音高の音名に応じて、第１弦に対する基準音高の設定を変更し、第２基準音高設定手段は、選択手段により選択された一組の音高情報の第２弦に対する基準音高の音名に応じて、第２弦に対する基準音高の設定を変更する。よって、基準音高記憶手段に記憶された複数組の音高情報から一組の音高情報を選択手段により選択すれば、第１弦に対する基準音高の設定に加えて、第２弦に対する基準音高の設定も一度に行うことができる。従って、第１弦に対する基準音高と第２弦に対する基準音高とを別々に設定する必要がないので、各基準音高の設定ミスを低減することができるという効果がある。更に、調弦を行う者が、例えば、第１弦に設定される基準音高の音名は認識しているものの、第２弦に設定される基準音高の音名を認識していない場合、或いはその逆の場合であっても、認識している弦に対する基準音高の音名を頼りに選択手段によって一組の音高情報を選択することで、認識していない弦に対する基準音高の設定も正確に行うことができるという効果がある。
【００１８】
請求項５記載の調弦装置によれば、請求項１から４のいずれかに記載の調弦装置の奏する効果に加え、二胡の棹に装着されると共に所定の間隔を隔てて里弦、および外弦を配設することにより生じる空間に配置される筐体には、第１表示手段、および第２表示手段が設けられている。よって、第１表示手段、および第２表示手段を配設するための空間を特別に設ける必要がない上に、通常の演奏姿勢で調弦を行いながら第１表示手段、または第２表示手段に表示される偏差を確認することができるという効果がある。
【００１９】
請求項６記載の調弦装置によれば、請求項５記載の調弦装置の奏する効果に加え、筐体に配設される第１表示手段、および第２表示手段は、筐体が棹に装着された場合にその棹の長手方向に沿って並べて設けられており、更に、第２表示手段は、第１表示手段と二胡の琴托との間となる位置に配置されている。これにより、琴托から遠い位置に第１表示手段が配置され、琴托から近い位置に第２表示手段が配置されていることになる。よって、通常の演奏姿勢で調弦を行う場合には、調弦を行う者の目線から近い位置に第１表示手段があり、その目線から遠い位置に第２表示手段があることとなる。ここで、調弦を行う者の目線から近い位置に里弦に関する表示を行い、調弦を行う者の目線から遠い位置に外弦に関する表示を行う形態は、弦楽器で一般的に行われている表示形態と一致するので、調弦を行う者は、その表示が里弦に関するものか、外弦に関するものかを容易に把握することができる。よって、里弦に対する基準音高との偏差を表示する第１表示手段を演奏者の目線から近い位置に配設し、外弦に対する基準音高との偏差を表示する第２表示手段を演奏者の目線から遠い位置に配設することで、里弦に対する基準音高の偏差か、外弦に対する基準音高の偏差かを、調弦を行うものに容易に把握させることができるという効果がある。
【発明を実施するための最良の形態】
【００２０】
以下、本発明の一実施の形態について添付図面を参照して説明する。図１を参照して、二胡用チューナ１０の外観について説明する。図１（ａ）は、二胡用チューナ１０の外観を示した図であり、図１（ｂ）は、二胡用チューナ１０の一部であるコントローラ１２の矢印Ｉｂ視における外観の拡大図である。
【００２１】
この二胡用チューナ１０は、里弦Ｇ１、および外弦Ｇ２の調弦を行う者（二胡用チューナの使用者）が、里弦Ｇ１、および外弦Ｇ２の調弦すべき各基準音高を認識していない場合であっても（知らない場合であっても）、里弦チューニングランプ１８や外弦チューニングランプ１９に表示される偏差を少なくするように里弦Ｇ１、および外弦Ｇ２の張力を調整することで、里弦Ｇ１、および外弦Ｇ２をそれぞれ基準音高に容易に調整することができる装置である。
【００２２】
まず、図１（ａ）を参照して、二胡用チューナ１０の外観について説明する。二胡用チューナ１０は、二胡用チューナ１０の操作を指示するコントローラ１２と、そのコントローラ１２に接続される本体１１とを有している。
【００２３】
本体１１は、コントローラ１２の操作によって、里弦Ｇ１、または外弦Ｇ２の振動により出力された楽音の音高を検出するチューナ機能、および入力された楽音に残響などの効果を付与する効果付与機能を実現する装置である。本体１１は、二胡Ｎの琴托１００の底面に取り付けられており、二胡Ｎと一体化されている。本体１１には、琴筒に設けられた花窓に対向する筐体３０が設けられ、その筐体３０には、里弦Ｇ１、および外弦Ｇ２の振動により出力された楽音を収音するマイク３１（図２参照）が花窓（図示せず）に対向して設けられている。また、本体１１には、アナログ信号が出力される出力端子３５が設けられている。
【００２４】
コントローラ１２は、里弦Ｇ１、および外弦Ｇ２と棹１０１との間の空間に配設されると共に、棹１０１に取り付けられ、本体１１とケーブルを介して接続されている。コントローラ１２の前面（コントローラ１２が里弦Ｇ１、および外弦Ｇ２と対向する面）には、各種ボタン１３ａ〜１３ｄ，１４の５つのボタンが設けられている。詳細は図２で後述するが、この各種ボタン１３ａ〜１３ｄ，１４の押下により、二胡用チューナ１０の機能を設定する。
【００２５】
次に、図１（ｂ）を参照して、コントローラ１２の外観について説明する。コントローラ１２の側面（図１（ａ）に記載の矢印Ｉｂ視におけるコントローラ１２の正面）には、表示器１７が設けられている。このコントローラ１２の側面は、二胡Ｎの演奏を行う者が演奏姿勢となった場合には、その演奏を行う者と対向する。よって、二胡Ｎの調弦を行う場合には、調弦を行う者と表示器１７とが対向した状態となる。
【００２６】
表示器１７には、里弦Ｇ１、または外弦Ｇ２の振動により出力された楽音の音高（マイク３１に入力された楽音の音高）と里弦Ｇ１に対する基準音高との偏差を表示する里弦チューニングランプ１８、里弦Ｇ１、または外弦Ｇ２の振動により出力された楽音の音高と外弦Ｇ２に対する基準音高との偏差を表示する外弦チューニングランプ１９、および本体１１の動作状態を示す表示ランプＬ１〜Ｌ５が設けられている。
【００２７】
里弦チューニングランプ１８は、里弦♭チューニングランプ１８ａと里弦♯チューニングランプ１８ｂとを有している。なお、詳細は図２で後述するが、里弦♭チューニングランプ１８ａは、マイク３１に入力された楽音の音高が境界音の音高以下であり、かつ里弦Ｇ１に対する基準音高よりも低い場合に点滅し、里弦♯チューニングランプ１８ｂは、マイク３１に入力された楽音の音高が境界音の音高以下であり、かつ里弦Ｇ１に対する基準音高よりも高い場合に点滅するランプである。なお、境界音とは、マイク３１に入力された楽音の音高が、里弦Ｇ１に対する基準音高に近いか、或いは外弦Ｇ２に対する基準音高に近いかを決定するための境界となる音である。
【００２８】
外弦チューニングランプ１９は、外弦♭チューニングランプ１９ａと外弦♯チューニングランプ１９ｂとを有している。なお、詳細は図２で後述するが、外弦♭チューニングランプ１９ａは、マイク３１に入力された楽音の音高が境界音の音高よりも高く、かつ外弦Ｇ２に対する基準音高よりも低い場合に点滅し、外弦♯チューニングランプ１９ｂは、マイク３１に入力された楽音の音高が境界音の音高よりも高く、かつ外弦Ｇ２に対する基準音高よりも高い場合に点滅するランプである。
【００２９】
図１（ａ）、および図１（ｂ）から分かるように、コントローラ１２が、里弦Ｇ１、および外弦Ｇ２と棹１０１との間の空間に配設されると共に、棹１０１に取り付けられているので、コントローラ１２を配設するためのスペース（空間）を特別に設ける必要がない。また、二胡Ｎの意匠性を著しく損なうこともない。
【００３０】
また、本体１１、およびコントローラ１２を二胡Ｎに取り付けることで、二胡用チューナ１０を二胡Ｎと一体化している。よって、チューナが二胡Ｎと別体である場合と比較して、二胡用チューナ１０では、チューナ本体の設置場所やそのチューナ本体との接続を意識する必要がない。
【００３１】
また、マイク３１に入力された楽音の音高と弦に対する基準音高との偏差を示す里弦チューニングランプ１８、および外弦チューニングランプ１９は、二胡Ｎの演奏を行う者が演奏姿勢（調弦姿勢）となった場合にその調弦を行う者と対向するように配設されている。よって、調弦を行う者は、特別な姿勢になることなく、通常の演奏姿勢（調弦姿勢）で、里弦チューニングランプ１８、および外弦チューニングランプ１９の表示に従って調弦を行うことができる。
【００３２】
また、外弦チューニングランプ１９は、里弦チューニングランプ１８と琴托１００との間に配設されている。即ち、琴托１００から遠い位置に里弦チューニングランプ１８が配設され、琴托１００から近い位置に外弦チューニングランプ１９が配設されている。従って、調弦を行う者が調弦姿勢となった場合には（通常の演奏姿勢となった場合には）、調弦を行う者の目線から近い位置に里弦チューニングランプ１８があり、その目線から遠い位置に外弦チューニングランプ１９があることとなる。ここで、調弦を行う者の目線から近い位置に里弦Ｇ１に関する表示を行い、調弦を行う者の目線から遠い位置に外弦Ｇ２に関する表示を行う形態は、弦楽器で一般的に行われている表示形態と一致するので、調弦を行う者は、その表示が里弦Ｇ１に関するものか、外弦Ｇ２に関するものかを通常の感覚に基づいて把握できる。このように、里弦Ｇ１に対する基準音高との偏差を表示する里弦チューニングランプ１８を演奏者の目線から近い位置に配設し、外弦Ｇ２に対する基準音高との偏差を表示する外弦チューニングランプ１９を演奏者の目線から遠い位置に配設することで、調弦を行っている弦の音高と基準音高との偏差が、里弦Ｇ１に対するものか、或いは外弦Ｇ２に対するものかを、調弦を行う者に容易、かつ直感的に把握させることができる。
【００３３】
表示ランプＬ１〜Ｌ５は、各種ボタン１３ａ〜１３ｄ，１４の各々に対応する位置に配設されている。表示ランプＬ１〜Ｌ５は、前述の通り、本体１１の動作状態を示すランプであるので、例えば、効果付与機能が選択された場合であって、エフェクトモードにリバーブモードが選択されているときには、リバーブボタン１３ａに最も近い位置に配設された表示ランプＬ１が点灯し、また、効果付与機能が選択された場合であって、エフェクトモードにコーラスモードが選択されているときには、コーラスボタン１３ｄに最も近い位置に配設された表示ランプＬ４が点灯する。なお、エフェクトモードの詳細については、後述する。
【００３４】
次に、図２を参照して、二胡用チューナ１０の電気的構成について説明する。図２は、二胡用チューナ１０の電気的構成を示すブロック図である。二胡用チューナ１０は、マイク３１、Ａ／Ｄ変換器３２、ＤＳＰ３３、Ｄ／Ａ変換器３４、出力端子３５、コントローラ１２、ＲＡＭ３６、ＣＰＵ３７、ＲＯＭ３８、および表示器１７を有している。このうち、ＤＳＰ３３、コントローラ１２、ＲＡＭ３６、ＣＰＵ３７、ＲＯＭ３８、および表示器１７は、バスライン４０を介して互いに接続されている。
【００３５】
なお、二胡用チューナ１０は、里弦Ｇ１、または外弦Ｇ２の振動により出力された楽音の音高を検出するチューナ機能、および入力された楽音に残響などの効果を付与する効果付与機能の２つの機能を有している。そして、効果付与機能には、リバーブモード、ディレイモード、オクターブモード、コーラスモード、およびノーマルモードの５つのエフェクトモードが設けられている。各エフェクトモードの詳細については後述する。
【００３６】
また、二胡用チューナ１０の電源がオンされた場合には、初期設定として効果付与機能が設定されると共に、エフェクトモードとしてノーマルモードが設定される。効果付与機能からチューナ機能へ、またはチューナ機能から効果付与機能への切り替えは、チューナボタン１４を２秒以上継続して長押することにより行われる。また、効果付与機能がノーマルモード以外の例えばリバーブモードに変更された場合や、効果付与機能からチューナ機能への切り替えが行われた場合等のように、二胡用チューナ１０の使用者によって二胡用チューナ１０の設定が変更されたときであっても、電源を再投入すれば、初期設定が改めて行われ、二胡用チューナ１０には効果付与機能が設定されると共に、エフェクトモードとしてノーマルモードが改めて設定される。なお、初期設定では、この効果付与機能の設定に加え、その他の設定も行われるが、これらの設定については図４にて詳述する。
【００３７】
マイク３１は、二胡用チューナ１０の使用者（調弦を行う者）によりチューナ機能が選択された場合に、里弦Ｇ１、または外弦Ｇ２の振動により出力された楽音を収音するマイクロフォンである。マイク３１により収音された楽音は、アナログ信号に変換された後、Ａ／Ｄ変換器３２へ入力される。
【００３８】
Ａ／Ｄ変換器３２は、入力されたアナログ信号を、所定のサンプリング周波数（例えば、４４．１ｋＨｚ）でサンプリングし、所定のビット数（例えば、１６ビット）に量子化する変換器である。Ａ／Ｄ変換器３２により変換されたデジタル信号は、逐次ＤＳＰ３３へ入力される。
【００３９】
ＤＳＰ３３は、デジタル信号処理回路（Digital  Signal  Processor）であり、Ａ／Ｄ変換器３２により変換されたデジタル信号を処理する。ＤＳＰ３３は、二胡用チューナ１０の使用者によりチューナ機能が選択された場合、入力されたデジタル信号の波形のゼロクロスを検出し、その検出したゼロクロスをＣＰＵ３７に通知する。ＣＰＵ３７は、ゼロクロスの通知を入力すると、ゼロクロスが発生した時間間隔に基づいて、マイク３１により収音された楽音の周期（音高）を検出する。なお、この検出した楽音の音高は、ＣＰＵ３７によって、後述する検出音高メモリ３６ｆに記憶される。
【００４０】
また、ＤＳＰ３３は、二胡用チューナ１０の使用者により効果付与機能が選択された場合は、入力されたデジタル信号にリバーブなどの効果を付与してＤ／Ａ変換器３４へ出力する。
【００４１】
Ｄ／Ａ変換器３４は、効果付与機能においてＤＳＰ３３によって処理されたデジタル信号をアナログ信号に変換して出力端子３５へ出力する。なお、出力端子３５に、増幅器を介してスピーカ（図示せず）が接続された場合には、スピーカは、入力されたアナログ信号を音に変換し外部へ出力する。
【００４２】
コントローラ１２は、二胡用チューナ１０の操作を指示する装置であり、コントローラ１２には、エフェクトボタン１３とチューナボタン１４とが設けられている。エフェクトボタン１３には、リバーブボタン１３ａ、ディレイボタン１３ｂ、オクターブボタン１３ｃ、およびコーラスボタン１３ｄの４つのボタンが設けられている。
【００４３】
リバーブボタン１３ａは、二胡用チューナ１０の使用者によりチューナ機能が選択された場合には、音名「Ａ４」に割り当てられる周波数となる基準周波数を、リバーブボタン１３ａの押下により、「４４０Ｈｚ」、または「４４２Ｈｚ」のいずれかに切り換えるボタンとなる。一方、二胡用チューナ１０の使用者により効果付与機能が選択された場合には、二胡の演奏により出力される楽音に残響音を付与することで、コンサートホールで演奏を聴いているような効果を付与するリバーブモードを設定するボタンとなる。
【００４４】
ディレイボタン１３ｂは、二胡用チューナ１０の使用者によりチューナ機能が選択された場合には、里弦Ｇ１に対応する基準音高の音名を「Ｇ３」に決定し、外弦Ｇ２に対応する基準音高の音名を「Ｄ４」に決定するボタンとなる。一方、二胡用チューナ１０の使用者により効果付与機能が選択された場合には、二胡の演奏により出力される楽音にエコーを付与することで、二胡の演奏による楽音が繰り返し出力されるような効果を付与するディレイモードを設定するボタンとなる。
【００４５】
オクターブボタン１３ｃは、二胡用チューナ１０の使用者によりチューナ機能が選択された場合には、里弦Ｇ１に対応する基準音高の音名を「Ｃ４」に決定し、外弦Ｇ２に対応する基準音高の音名を「Ｇ４」に決定するボタンとなる。一方、二胡用チューナ１０の使用者により効果付与機能が選択された場合には、二胡の演奏により出力される楽音に、その楽音よりも１オクターブ低い音を加えることで、太い弦を持ち、かつ筐体が大きな二胡と合奏しているかのような効果を付与するオクターブモードを設定するボタンとなる。
【００４６】
コーラスボタン１３ｄは、二胡用チューナ１０の使用者によりチューナ機能が選択された場合には、里弦Ｇ１に対応する基準音高の音名を「Ａ３」に決定し、外弦Ｇ２に対応する基準音高の音名を「Ｅ４」に決定するボタンとなる。一方、二胡用チューナ１０の使用者により効果付与機能が選択された場合には、二胡の演奏により出力される楽音に、その楽音とは多少音高の異なる音を加えることで、斉奏しているかのような効果を付与するコーラスモードを設定するボタンとなる。
【００４７】
チューナボタン１４は、前述の通り、２秒以上継続して長押することで、二胡用チューナ１０の機能をチューナ機能、または効果付与機能のいずれかに切り換えるボタンである。そして、二胡用チューナ１０の使用者によりチューナ機能が選択された場合には、里弦Ｇ１に対応する基準音高の音名を「Ｄ４」に決定し、外弦Ｇ２に対応する基準音高の音名を「Ａ４」に決定するボタンとなる。なお、この場合を、二胡用チューナ１０のチューナ機能における標準モードとしている。一方、二胡用チューナ１０の使用者により効果付与機能が選択された場合にチューナボタン１４が押下されたときには、既に設定されているエフェクトモードが維持される（既に設定されているエフェクトモードが変化することはない）。
【００４８】
ＣＰＵ３７は、二胡用チューナ１０を制御する演算装置である。ＲＯＭ３８は、ＣＰＵ３７により実行される制御プログラム（例えば、図４から図８に示す処理のフローチャート）や各種テーブル３８ａ〜３８ｃを格納した書き換え不能な不揮発性のメモリである。また、ＲＡＭ３６は、制御プログラムの実行時に各種の情報を一時的に記憶するメモリである。
【００４９】
ＲＯＭ３８には、チューニングバリエーションテーブル３８ａ、境界音テーブル３８ｂ、およびエフェクトテーブル３８ｃが設けられている。ここで、図３（ａ）を参照して、チューニングバリエーションテーブル３８ａについて説明する。図３（ａ）は、チューニングバリエーションテーブル３８ａの内容を模式的に示した図である。
【００５０】
チューニングバリエーションテーブル３８ａは、二胡用チューナ１０の使用者によりチューナ機能が選択された場合に、押下されたボタン（ディレイボタン１３ｂ、オクターブボタン１３ｃ、コーラスボタン１３ｄ、またはチューナボタン１４のいずれかのボタン）に応じて、里弦Ｇ１に対応する基準音高の音名、および外弦Ｇ２に対応する基準音高の音名を決定するためのテーブルである。このチューニングバリエーションテーブル３８ａは、後述するチューニングバリエーション切換処理（図６のＳ２２の処理参照）が実行された場合に、ＣＰＵ３７によって参照される。なお、チューニングバリエーションテーブル３８ａに基づいてＣＰＵ３７により決定された里弦Ｇ１に対応する基準音高の音名、および外弦Ｇ２に対応する基準音高の音名は、ＣＰＵ３７により、後述する里弦基準音メモリ３６ｃ、および外弦基準音メモリ３６ｄにそれぞれ記憶される。
【００５１】
例えば、新たにディレイボタン１３ｂが押下された場合には、ディレイボタン１３ｂの押下に応じたチューニングバリエーションが設定されるので、図３（ａ）に示すように、里弦Ｇ１に対応する基準音高の音名が「Ｇ３」に決定され、この音名が里弦基準音メモリ３６ｃに記憶される。また、外弦Ｇ２に対応する基準音高の音名が「Ｄ４」に決定され、この音名が外弦基準音メモリ３６ｄに記憶される。なお、基準周波数が「４４０Ｈｚ」に設定されている場合には（後述する基準周波数フラグ３６ｂがオフである場合には）、図３（ａ）に示すように、チューナボタン１４が押下されることにより決定される外弦Ｇ２に対応する基準音高「Ａ４」が、４４０Ｈｚに設定され、コーラスボタン１３ｄが押下されることにより決定される里弦Ｇ１に対応する基準音高「Ａ３」が、基準周波数の１/２
倍の周波数である２２０Ｈｚに設定される。
【００５２】
ここで、図３（ａ）に示すチューニングバリエーションテーブル３８ａから分かるように、里弦Ｇ１に対応する基準音高は、外弦Ｇ２に対応する基準音高よりも低い音高となるように設定されている。これは、二胡Ｎでは、里弦Ｇ１の径が外弦Ｇ２の径よりも大きいので、里弦Ｇ１に対する基準音高が外弦Ｇ２に対する基準音高よりも低い音高に設定されることを仕様としているからである。
【００５３】
次に、図３（ｂ）を参照して、境界音テーブル３８ｂについて説明する。図３（ｂ）は、境界音テーブル３８ｂの内容を模式的に示した図である。境界音テーブル３８ｂは、二胡用チューナ１０の使用者によりチューナ機能が選択された場合に、マイク３１により収音された楽音について、里弦Ｇ１に対応する基準音高に対する偏差を算出するか、或いは外弦Ｇ２に対応する基準音高に対する偏差を算出するかの判定に使用する境界音の音名を、里弦基準音メモリ３６ｃに記憶された音名に応じて決定するためのテーブルである。この境界音テーブル３８ｂは、後述するチューニング表示処理（図８参照）が実行された場合に、ＣＰＵ３７によって参照される。
【００５４】
例えば、里弦基準音メモリ３６ｃに記憶された音名が「Ｇ３」である場合には、ＣＰＵ３７は、境界音の音名を「Ａ♯３」に決定し、この音名を後述する境界音メモリ３６ｅに記憶する。そして、基準音高メモリ３６ｄに記憶された音名「Ａ♯３」に割り当てられた周波数（音高）を境界音の音高として、ＣＰＵ３７は、マイク３１により収音された楽音の音高が境界音の音高以下か否かを判定する。マイク３１により収音された楽音の音高が境界音の音高以下であれば、ＣＰＵ３７は、収音された楽音の音高と里弦基準音メモリ３６ｃに記憶された音名の基準音高との偏差を算出する。一方、マイク３１により収音された楽音の音高が境界音の音高より高ければ、ＣＰＵ３７は、収音された楽音の音高と外弦基準音メモリ３６ｄに記憶された音名の基準音高との偏差を算出する。
【００５５】
この理由について説明する。里弦基準音メモリ３６ｃに記憶された音名が「Ｇ３」である場合には、外弦基準音メモリ３６ｄには音名「Ｄ４」が記憶されており（図３（ａ）参照）、境界音メモリ３６ｅに記憶される音名「Ａ♯３」は、音名「Ｇ３」と音名「Ｄ４」のほぼ中間に位置する音となる。よって、マイク３１により収音された楽音の音高が境界音の音高以下であれば、ＣＰＵ３７は、マイク３１により収音された楽音の音高が里弦基準音メモリ３６ｃに記憶された音名「Ｇ３」の基準音高に近いと判定して、収音された楽音の音高と里弦基準音メモリ３６ｃに記憶された音名の基準音高との偏差を算出するのである。同様に、マイク３１により収音された楽音の音高が境界音の音高より高ければ、ＣＰＵ３７は、マイク３１により収音された楽音の音高が外弦基準音メモリ３６ｄに記憶された音名「Ｄ４」の基準音高に近いと判定して、収音された楽音の音高と外弦基準音メモリ３６ｄに記憶された音名の基準音高との偏差を算出するのである。
【００５６】
次に、図３（ｃ）を参照して、エフェクトテーブル３８ｃについて説明する。図３（ｃ）は、エフェクトテーブル３８ｃの内容を模式的に示した図である。エフェクトテーブル３８ｃは、二胡用チューナ１０の使用者により効果付与機能が選択された場合に、押下されるボタン（リバーブボタン１３ａ、ディレイボタン１３ｂ、オクターブボタン１３ｃ、またはコーラスボタン１３ｄのいずれかのボタン）に応じて、ＤＳＰ３３に入力されたデジタル信号に付与する効果（エフェクト）を決定するためのテーブルである。このエフェクトテーブル３８ｃは、後述するエフェクト切換処理（図６のＳ２３の処理参照）が実行された場合に、ＣＰＵ３７によって参照される。なお、エフェクトテーブル３８ｃに基づいてＣＰＵ３７により決定されたエフェクトモードは、ＣＰＵ３７により、ＲＡＭ３６の所定の領域に記憶される。
【００５７】
例えば、新たにディレイボタン１３ｂが押下された場合には、エフェクトモードがディレイモードに設定される。なお、既にエフェクトモードがディレイモードに設定されている場合に、新たにディレイボタン１３ｂが押下された場合には、設定されているディレイモードが解除され、ＤＳＰ３３に入力されたデジタル信号に効果（エフェクト）を付与しないノーマルモードに設定される。
【００５８】
なお、前述の通り、二胡用チューナ１０の使用者により効果付与機能が選択された状態でチューナボタン１４が押下された場合には、既に設定されているエフェクトモードが維持される（既に設定されているエフェクトモードが変化することはない）。
【００５９】
図２の説明に戻る。ＲＡＭ３６には、チューナフラグ３６ａ、基準音周波数フラグ３６ｂ、里弦基準音メモリ３６ｃ、外弦基準音メモリ３６ｄ、境界音メモリ３６ｅ、および検出音高メモリ３６ｆが設けられている。チューナフラグ３６ａは、二胡用チューナ１０の使用者によりチューナ機能が選択された場合にオンとなる一方、二胡用チューナ１０の使用者により効果付与機能が選択された場合にオフとなるフラグである。基準周波数フラグ３６ｂは、音名「Ａ４」に割り当てられる周波数となる基準周波数が「４４０Ｈｚ」に設定された場合にオフとなる一方、基準周波数が「４４２Ｈｚ」に設定された場合にオンとなるフラグである。
【００６０】
里弦基準音メモリ３６ｃは、チューニングバリエーションテーブル３８ａに基づいて決定された里弦Ｇ１に対応する基準音高の音名が記憶されるメモリである。外弦基準音メモリ３６ｄは、チューニングバリエーションテーブル３８ａに基づいて決定された外弦Ｇ２に対応する基準音高の音名が記憶されるメモリである。境界音メモリ３６ｅは、境界音テーブル３８ｂに基づいて決定された境界音の音名が記憶されるメモリである。また、検出音高メモリ３６ｆは、ＤＳＰ３３からのゼロクロスの通知によりＣＰＵ３７が検出した楽音の音高、即ち、マイク３１により収音された楽音の音高を記憶するメモリである。
【００６１】
表示器１７は、発光素子であるＬＥＤから構成されるランプであり、里弦チューニングランプ１８、外弦チューニングランプ１９、および表示ランプＬ１〜Ｌ５を有している。里弦チューニングランプ１８は、里弦♭チューニングランプ１８ａ、および里弦♯チューニングランプ１８ｂを有している。里弦♭チューニングランプ１８ａは、マイク３１により収音された楽音の音高が境界音メモリ３６ｅに記憶された音名の音高以下であり、かつ里弦基準音メモリ３６ｃに記憶された音名の基準音高よりも低い偏差となった場合に点滅するランプである。この里弦♭チューニングランプ１８ａの点滅により、二胡用チューナ１０の使用者は、里弦Ｇ１の張力を調整して、里弦Ｇ１の振動により出力される楽音の音高を高くする必要があることを認識することができる。
【００６２】
里弦♯チューニングランプ１８ｂは、マイク３１により収音された楽音の音高が境界音メモリ３６ｅに記憶された音名の音高以下であり、かつ里弦基準音メモリ３６ｃに記憶された音名の基準音高よりも高い偏差となった場合に点滅するランプである。この里弦♯チューニングランプ１８ｂの点滅により、二胡用チューナ１０の使用者は、里弦Ｇ１の張力を調整して、里弦Ｇ１の振動により出力される楽音の音高を低くする必要があることを認識することができる。
【００６３】
なお、マイク３１により収音された楽音の音高と里弦基準音メモリ３６ｃに記憶された音名の基準音高との偏差が±５セントの範囲となった場合には、里弦♭チューニングランプ１８ａ、および里弦♯チューニングランプ１８ｂが共に点灯する。これにより、二胡用チューナ１０の使用者は、里弦Ｇ１の調弦が完了したことを認識することができる。なお、二胡用チューナ１０の使用者が、外弦Ｇ２の調弦を行っている場合には、里弦♭チューニングランプ１８ａや里弦♯チューニングランプ１８ｂの点滅、或いは点灯により、二胡用チューナ１０の使用者は、外弦Ｇ２の振動により出力される楽音の音高を大幅に高くする必要があることを認識することができる。
【００６４】
外弦チューニングランプ１９は、外弦♭チューニングランプ１９ａ、および外弦♯チューニングランプ１９ｂを有している。外弦♭チューニングランプ１９ａは、マイク３１により収音された楽音の音高が境界音メモリ３６ｅに記憶された音名の音高よりも高く、かつ外弦基準音メモリ３６ｄに記憶された音名の基準音高よりも低い偏差となった場合に点滅するランプである。この外弦♭チューニングランプ１９ａの点滅により、二胡用チューナ１０の使用者は、外弦Ｇ２の張力を調整して、外弦Ｇ２の振動により出力される楽音の音高を高くする必要があることを認識することができる。
【００６５】
外弦♯チューニングランプ１９ｂは、マイク３１により収音された楽音の音高が境界音メモリ３６ｅに記憶された音名の音高よりも高く、かつ外弦基準音メモリ３６ｄに記憶された音名の基準音高よりも高い偏差となった場合に点滅するランプである。この外弦♯チューニングランプ１９ｂの点滅により、二胡用チューナ１０の使用者は、外弦Ｇ２の張力を調整して、外弦Ｇ２の振動により出力される楽音の音高を低くする必要があることを認識することができる。
【００６６】
なお、マイク３１により収音された楽音の音高と外弦基準音メモリ３６ｄに記憶された音名の基準音高との偏差が±５セントの範囲となった場合には、外弦♭チューニングランプ１９ａ、および外弦♯チューニングランプ１９ｂが共に点灯する。これにより、二胡用チューナ１０の使用者は、外弦Ｇ２の調弦が完了したことを認識することができる。ここで、二胡用チューナ１０の使用者が、里弦Ｇ１の調弦を行っている場合には、外弦♭チューニングランプ１９ａや外弦♯チューニングランプ１９ｂの点滅、或いは点灯により、二胡用チューナ１０の使用者は、里弦Ｇ１の振動により出力される楽音の音高を大幅に低くする必要があることを認識することができる。
【００６７】
次に、図４を参照して、ＣＰＵ３７により実行されるメイン処理について説明する。図４は、メイン処理を示したフローチャートである。このメイン処理は、二胡用チューナ１０の電源がオンされた場合に実行される処理であり、二胡用チューナ１０の電源がオンされている間、約１ｍｓ毎に定期的に実行される処理である。
【００６８】
メイン処理では、まず、初期設定が行われる（Ｓ１）。具体的には、チューナフラグ３６ａをオフに設定し（効果付与機能に設定すると共に、エフェクトモードとしてノーマルモードに設定し）、基準周波数フラグ３６ｂをオフに設定する（基準周波数を「４４０Ｈｚ」に設定する）。更に、里弦基準音メモリ３６ｃに音名「Ｄ４」を記憶させ、外弦基準音メモリ３６ｄに音名「Ａ４」を記憶させる（チューナ機能における標準モードに設定する）。なお、このＳ１の処理は、二胡用チューナ１０の電源がオンされて一度実行されると、電源がオンである期間中はスキップされる（実行されない）。
【００６９】
次に、チューナ機能設定処理（Ｓ２）が実行される。ここで、図５を参照して、チューナ機能設定処理について説明する。図５は、チューナ機能設定処理を示したフローチャートである。チューナ機能設定処理では、まず、チューナボタン１４が新たに長押しされたか否かを判定する（Ｓ１１）。新たな長押しであるか否かは、チューナボタン１４が２秒以上継続して押下されたか否かで判定される。チューナボタン１４が新たに長押しされたと判定された場合には（Ｓ１１：Ｙｅｓ）、既にチューナフラグ３６ａがオンであるか否か、即ち、既にチューナ機能が選択されているか否かが判定される（Ｓ１２）。チューナフラグ３６ａがオフであると判定された場合には（Ｓ１２：Ｎｏ）、現在選択されているのは効果付与機能であるので、これをチューナ機能に変更すべく、チューナフラグ３６ａをオンにする（Ｓ１４）。一方、チューナフラグ３６ａがオンであると判定された場合には（Ｓ１２：Ｙｅｓ）、既にチューナ機能が選択されているので、これを効果付与機能に変更すべく、チューナフラグ３６ａをオフにする（Ｓ１３）。
【００７０】
なお、Ｓ１１の処理で、チューナボタン１４が新たに長押しされていないと判定された場合には（Ｓ１１：Ｎｏ）、このチューナ機能設定処理を終了する。また、Ｓ１１の処理で、一旦、チューナボタン１４が新たに長押しされたと判定された（Ｓ１１：Ｙｅｓ）後も、継続してチューナボタン１４が押下されている場合には、その後に実行されるＳ１１の処理では、チューナボタン１４が新たに長押しされていないと判定される（Ｓ１１：Ｎｏ）。
【００７１】
図４の説明に戻る。チューナ機能設定処理（Ｓ２）の実行後、チューニングバリエーション処理（Ｓ３）が実行される。ここで、図６を参照して、チューニングバリエーション処理について説明する。チューニングバリエーション処理により、里弦Ｇ１に対応する基準音高、および外弦Ｇ２に対応する基準音高を、チューニングバリエーションテーブル３８ａに基づいて切り換えることができる。図６は、チューニングバリエーション処理を示したフローチャートである。チューニングバリエーション処理では、まず、チューナフラグ３６ａがオンであるか、即ち、現在、チューナ機能が選択されているか否かが判定される（Ｓ２１）。チューナフラグ３６ａがオンであれば（Ｓ２１：Ｙｅｓ）、里弦Ｇ１に対応する基準音高、および外弦Ｇ２に対応する基準音高を切り換えるチューニングバリエーション切換処理が実行される（Ｓ２２）。チューニングバリエーション処理（Ｓ２２）では、チューニングバリエーションテーブル３８ａを参照し、押下されたボタン（ディレイボタン１３ｂ、オクターブボタン１３ｃ、コーラスボタン１３ｄ、またはチューナボタン１４のいずれかのボタン）に応じて、里弦Ｇ１に対応する基準音高、および外弦Ｇ２に対応する基準音高を決定する。そして、チューニングバリエーションテーブル３８ａに基づいて決定された里弦Ｇ１に対応する基準音高、および外弦Ｇ２に対応する基準音高を、里弦基準音メモリ３６ｃ、および外弦基準音メモリ３６ｄにそれぞれ記憶する。なお、二胡用チューナ１０では、いずれかのボタンが押下されると、押下されたボタンを特定する情報がＲＡＭ３６の所定の領域に記憶される。そして、Ｓ２２の処理では、このＲＡＭ３６に記憶された情報を参照することで、押下されたボタンがいずれであるかを特定している。これは、後述するＳ２３の処理でも同様である。
【００７２】
Ｓ２１の処理で、チューナフラグ３６ａがオフであれば（Ｓ２１：Ｎｏ）、現在、効果付与機能が選択されているので、ＤＳＰ３３に入力されたデジタル信号に付与する効果（エフェクトモード）を切り換えるエフェクト切換処理が実行される（Ｓ２3）。エフェク
ト切換処理（Ｓ２３）では、エフェクトテーブル３８ｃを参照し、押下されたボタン（ディレイボタン１３ｂ、オクターブボタン１３ｃ、またはコーラスボタン１３ｄのいずれかのボタン）に応じて、ＤＳＰ３３に入力されたデジタル信号に付与する効果（エフェクトモード）を決定する。そして、エフェクトテーブル３８ｃに基づいて決定されたエフェクトモードを、ＲＡＭ３６の所定の領域に記憶する。このエフェクト切換処理により、ＤＳＰ３３に入力されたデジタル信号に付与する効果（エフェクトモード）を、エフェクトテーブル３８ｃに基づいて切り換えることができる。
【００７３】
上述した通り、チューニングバリエーション処理では、チューニングバリエーションテーブル３８ａを参照し、押下されたボタン（ディレイボタン１３ｂ、オクターブボタン１３ｃ、コーラスボタン１３ｄ、またはチューナボタン１４のいずれかのボタン）に応じて、里弦Ｇ１に対応する基準音高、および外弦Ｇ２に対応する基準音高の両方を決定する。よって、調弦を行う者が、例えば、里弦Ｇ１に対応する基準音高の音名は認識しているものの、外弦Ｇ２に対応する基準音高の音名を認識していない場合であっても、里弦Ｇ１に対する基準音高の音名を頼りに押下するボタンを決定できるので、里弦Ｇ１に対する基準音高の設定に加えて、認識していない外弦Ｇ２に対する基準音高の設定も正確に行うことができる。
【００７４】
図４の説明に戻る。チューニングバリエーション処理（Ｓ３）の実行後、基準周波数設定処理（Ｓ４）が実行される。ここで、図７を参照して、ＣＰＵ３７により実行される基準周波数設定処理について説明する。図７は、基準周波数設定処理を示したフローチャートである。基準周波数設定処理は、チューナ機能が選択されている場合には、基準周波数を「４４０Ｈｚ」、または「４４２Ｈｚ」のいずれかに設定する一方、効果付与機能が選択されている場合には、リバーブモード、またはノーマルモードのいずれかのエフェクトモードに設定する処理である。
【００７５】
基準周波数設定処理では、まず、リバーブボタン１３ａが新たに押下されたか否かが判定される（Ｓ３１）。リバーブボタン１３ａが新たに押下されていないと判定された場合には（Ｓ３１：Ｎｏ）、この基準周波数設定処理を終了する。
【００７６】
一方、リバーブボタン１３ａが新たに押下されたと判定された場合には（Ｓ３１：Ｙｅｓ）、チューナフラグ３６ａがオンであるか、即ち、現在、チューナ機能が選択されているか否かが判定される（Ｓ３２）。チューナフラグ３６ａがオンであると判定された場合には（Ｓ３２：Ｙｅｓ）、現在、チューナ機能が選択されているので、基準周波数を変更するＳ３３〜Ｓ３５の処理に移行する。Ｓ３３の処理では、基準周波数フラグ３６ｂがオフであるか、即ち、現在、基準周波数が「４４０Ｈｚ」に設定されているか否かが判定される（Ｓ３３）。
【００７７】
基準周波数フラグ３６ｂがオフであれば（Ｓ３３：Ｙｅｓ）、現在、基準周波数が「４４０Ｈｚ」に設定されているので、基準周波数フラグ３６ｂをオンに設定して（Ｓ３４）、基準周波数を「４４２Ｈｚ」に変更する。一方、基準周波数フラグ３６ｂがオンであれば（Ｓ３３：Ｎｏ）、現在、基準周波数が「４４２Ｈｚ」に設定されているので、基準周波数フラグ３６ｂをオフに設定して（Ｓ３５）、基準周波数を「４４０Ｈｚ」に変更する。
【００７８】
一方、Ｓ３２の処理で、チューナフラグ３６ａがオフであると判定された場合には（Ｓ３２：Ｎｏ）、現在、効果付与機能が選択されているので、リバーブモードの設定を行うＳ３６〜Ｓ３８の処理に移行する。Ｓ３６の処理では、既にリバーブモードが設定されているか否かが判定される（Ｓ３６）。リバーブモードが設定されていないと判定された場合には（Ｓ３６：Ｎｏ）、既に設定されているエフェクトモード（ディレイモード、オクターブモード、コーラスモード、またはノーマルモードのいずれかのモード）に換えて、リバーブモードを設定する（Ｓ３８）。一方で、既にリバーブモードが設定されていると判定された場合には（Ｓ３６：Ｙｅｓ）、リバーブモードを解除して、ノーマルモードに設定する（Ｓ３７）。
【００７９】
図４の説明に戻る。基準周波数設定処理（Ｓ４）の実行後、チューニング表示処理（Ｓ５）が実行される。チューニング表示処理が実行された後は、このメイン処理が終了する。ここで、図８を参照して、ＣＰＵ３７により実行されるチューニング表示処理について説明する。図８は、チューニング表示処理を示したフローチャートである。なお、チューニング表示処理では、マイク３１により収音された楽音の音高（検出音高メモリ３６ｆに記憶された音高）に応じて、その収音された楽音の音高と里弦基準音メモリ３６ｃに記憶された音名の基準音高との偏差を里弦チューニングランプ１８に表示する、またはその収音された楽音の音高と外弦基準音メモリ３６ｄに記憶された音名の基準音高との偏差を外弦チューニングランプ１９に表示するかのいずれかの処理が実行される。
【００８０】
チューニング表示処理では、まず、チューナフラグ３６ａがオンであるか否か、即ち、現在、チューナ機能が選択されているか否かが判定される（Ｓ５１）。チューナフラグ３６ａがオフであると判定されると（Ｓ５１：Ｎｏ）、現在、効果付与機能が選択されているので、このチューニング表示処理を終了する。
【００８１】
一方、チューナフラグ３６ａがオンであると判定されると（Ｓ５１：Ｙｅｓ）、現在、チューナ機能が選択されているので、処理をＳ５２以降の処理へ移行する。Ｓ５２の処理では、チューニングバリエーション切換処理（図６のＳ２３の処理）が実行されて、チューニングバリエーションが新たに切り換えられたか否かが判定される（Ｓ５２）。チューニングバリエーションが新たに切り換えられたと判定された場合には（Ｓ５２：Ｙｅｓ）、境界音の音高を切り換えるべく、里弦基準音メモリ３６ｃに記憶された音名に対応する境界音の音名を、境界音テーブル３８ｂから読み出す（Ｓ５３）。そして、読み出した境界音の音名を、境界音メモリ３６ｅに記憶する（Ｓ５４）。なお、Ｓ５４の処理では、境界音メモリ３６ｅに記憶された音名に対して、基準周波数に応じた周波数が割り当てられる（設定される）処理も実行されている。
【００８２】
なお、チューニングバリエーションが切り換えられていないと判定された場合には（Ｓ５２：Ｎｏ）、基準音の音高を切り換える必要がないので、Ｓ５３、およびＳ５４の処理をスキップする。
【００８３】
次に、検出音高メモリ３６ｆに記憶された音高（周波数）を読み出して（Ｓ５５）、読み出した音高は、境界音メモリ３６ｅに記憶された音名に割り当てられた音高（周波数）以下であるか否かが判定される（Ｓ５６）。Ｓ５５の処理で読み出した音高が、境界音メモリ３６ｅに記憶された音名に割り当てられた音高（周波数）以下であると判定された場合には（Ｓ５６：Ｙｅｓ）、読み出した音高が里弦Ｇ１に対する基準音高に近いことを示している。よって、Ｓ５５の処理で読み出した音高と里弦基準音メモリ３６ｃに記憶された音名の基準音高との偏差を里弦チューニングランプ１８に表示する処理であるＳ５７〜Ｓ５９の処理へ移行する。
【００８４】
Ｓ５７の処理では、里弦基準音メモリ３６ｃに記憶された音名に割り当てられた音高（周波数）とＳ５５の処理で検出音高メモリ３６ｆから読み出した音高との偏差を算出する（Ｓ５７）。
【００８５】
そして、算出された偏差に応じて、里弦♭チューニングランプ１８ａ、および里弦♯チューニングランプ１８ｂの表示態様を決定し、その態様により、里弦♭チューニングランプ１８ａ、および里弦♯チューニングランプ１８ｂの表示を行う（Ｓ５８）。なお、里弦♭チューニングランプ１８ａ、および里弦♯チューニングランプ１８ｂの表示態様については、図９を用いて後述する。Ｓ５８の処理後、外弦♭チューニングランプ１９ａ、および外弦♯チューニングランプ１９ｂの表示をオフする（Ｓ５９）。これにより、不要である外弦♭チューニングランプ１９ａ、および外弦♯チューニングランプ１９ｂの表示が残ることがないので、里弦♭チューニングランプ１８ａ、および里弦♯チューニングランプ１８ｂのみを確実に表示することができる。
【００８６】
一方、Ｓ５５の処理で読み出した音高が、境界音メモリ３６ｅに記憶された音名に割り当てられた音高（周波数）より高いと判定された場合には（Ｓ５６：Ｎｏ）、読み出した音高が外弦Ｇ２に対する基準音高に近いことを示している。よって、Ｓ５５の処理で読み出した音高と外弦基準音メモリ３６ｄに記憶された音名の基準音高との偏差を外弦チューニングランプ１９に表示する処理であるＳ６０〜Ｓ６２の処理へ移行する。
【００８７】
Ｓ６０の処理では、外弦基準音メモリ３６ｄに記憶された音名に割り当てられた音高（周波数）とＳ５５の処理で検出音高メモリ３６ｆから読み出した音高との偏差を算出する（Ｓ６０）。
【００８８】
そして、算出された偏差に応じて、外弦♭チューニングランプ１９ａ、および外弦♯チューニングランプ１９ｂの表示態様を決定し、その態様により、外弦♭チューニングランプ１９ａ、および外弦♯チューニングランプ１９ｂの表示を行う（Ｓ６１）。なお、外弦♭チューニングランプ１９ａ、および外弦♯チューニングランプ１９ｂの表示態様については、図９を用いて後述する。Ｓ６１の処理後、里弦♭チューニングランプ１８ａ、および里弦♯チューニングランプ１８ｂの表示をオフする（Ｓ６２）。これにより、不要である里弦♭チューニングランプ１８ａ、および里弦♯チューニングランプ１８ｂの表示が残ることがないので、外弦♭チューニングランプ１９ａ、および外弦♯チューニングランプ１９ｂのみを確実に表示することができる。
【００８９】
上述した通り、チューニング表示処理では、検出音高メモリ３６ｆから読み出された音高が境界音メモリ３６ｅに記憶された音名に割り当てられた音高（周波数）以下である場合には、その読み出された音高と里弦基準音メモリ３６ｃに記憶された音名の基準音高との偏差を、里弦♭チューニングランプ１８ａ、および里弦♯チューニングランプ１８ｂを用いて表示させる。一方、検出音高メモリ３６ｆから読み出された音高が境界音メモリ３６ｅに記憶された音名に割り当てられた音高（周波数）より高い場合には、その読み出された音高と外弦基準音メモリ３６ｄに記憶された音名の基準音高との偏差を、外弦♭チューニングランプ１９ａ、および外弦♯チューニングランプ１９ｂを用いて表示させる。
【００９０】
次に、図９を参照して、チューニングランプ１８，１９の表示態様について説明する。図９は、調弦中の楽音の音高（マイク３１により収音され、検出音高メモリ３６ｆに記憶される、二胡チューナ１０の使用者が調弦のために演奏することにより発音した弦の音高）に応じて変化する、チューニングランプ１８，１９の表示態様を示した一覧図である。なお、図９では、代表として、里弦Ｇ１に対応する基準音高の音名が「Ｄ４」であり（里弦基準音メモリ３６ｃに記憶された音名が「Ｄ４」であり）、外弦Ｇ２に対応する基準音高の音名が「Ａ４」であり（外弦基準音メモリ３６ｄに記憶された音名が「Ａ４」であり）、境界音の音名が「Ｆ４」である場合（境界音メモリ３６ｅに記憶された音名が「Ｆ４」である場合（標準モードである場合））における各表示態様を示している。
【００９１】
まず、調弦中の楽音の音高が境界音の音名「Ｆ４」の音高以下の場合には、里弦♭チューニングランプ１８ａと里弦♯チューニングランプ１８ｂとが使用される状態となる。
【００９２】
この状態において、調弦中の楽音の音高と里弦Ｇ１に対応する基準音高の音名「Ｄ４」の音高との偏差が、３半音、即ち−３００セント以下である場合には、里弦♭チューニングランプ１８ａがゆっくり点滅する。それ以外の里弦♯チューニングランプ１８ｂ、外弦♭チューニングランプ１９ａ、および外弦♯チューニングランプ１９ｂは消灯となる。
【００９３】
次に、調弦中の楽音の音高と里弦Ｇ１に対応する基準音高の音名「Ｄ４」の音高との偏差が、−３００セントより大きく、−５セント未満である場合には、調弦中の楽音の音高が里弦Ｇ１に対応する基準音高の音名「Ｄ４」の音高に近づくにつれて、里弦♭チューニングランプ１８ａが徐々に早く点滅する（里弦Ｇ１に対応する基準音高の音名「Ｄ４」の音高から遠ざかるにつれて、里弦♭チューニングランプ１８ａが徐々に遅く点滅する）。それ以外の里弦♯チューニングランプ１８ｂ、外弦♭チューニングランプ１９ａ、および外弦♯チューニングランプ１９ｂは消灯となる。
【００９４】
そして、調弦中の楽音の音高と里弦Ｇ１に対応する基準音高の音名「Ｄ４」の音高との偏差が−５セント以上、＋５セント以下である場合には、里弦♭チューニングランプ１８ａ、および里弦♯チューニングランプ１８ｂが共に点灯する。それ以外の外弦♭チューニングランプ１９ａ、および外弦♯チューニングランプ１９ｂは消灯となる。このとき、里弦Ｇ１が調弦されている場合には、里弦Ｇ１に対応する基準音高の音名「Ｄ４」の音高と里弦Ｇ１の振動により出力される調弦中の楽音の音高がほぼ一致することとなり、里弦Ｇ１の調弦が完了する。
【００９５】
更に、調弦中の楽音の音高と里弦Ｇ１に対応する基準音高の音名「Ｄ４」の音高との偏差が＋５セントより大きく、境界音の音名「Ｆ４」の音高以下である場合には、調弦中の楽音の音高が里弦Ｇ１に対応する基準音高の音名「Ｄ４」の音高に近づくにつれて、里弦♯チューニングランプ１８ｂが徐々に早く点滅する（里弦Ｇ１に対応する基準音高の音名「Ｄ４」の音高から遠ざかるにつれて、里弦♯チューニングランプ１８ｂが徐々に遅く点滅する）。それ以外の里弦♭チューニングランプ１８ａ、外弦♭チューニングランプ１９ａ、および外弦♯チューニングランプ１９ｂは消灯となる。
【００９６】
次に、調弦中の楽音の音高が境界音の音名「Ｆ４」の音高よりも高い場合には、外弦♭チューニングランプ１９ａと外弦♯チューニングランプ１９ｂとが使用される状態となる。
【００９７】
この状態において、調弦中の楽音の音高と外弦Ｇ２に対応する基準音高の音名「Ａ４」の音高との偏差が−３００セント以下である場合には、外弦♭チューニングランプ１９ａがゆっくり点滅する。それ以外の里弦♭チューニングランプ１８ａ、里弦♯チューニングランプ１８ｂ、および外弦♯チューニングランプ１９ｂは消灯となる。
【００９８】
次に、調弦中の楽音の音高と外弦Ｇ２に対応する基準音高の音名「Ａ４」の音高との偏差が−３００セントより大きく、−５セント未満である場合には、調弦中の楽音の音高が外弦Ｇ２に対応する基準音高の音名「Ａ４」の音高に近づくにつれて、外弦♭チューニングランプ１９ａが徐々に早く点滅する（音名「Ａ４」の音高から遠ざかるにつれて、外弦♭チューニングランプ１９ａが徐々に遅く点滅する）。それ以外の里弦♭チューニングランプ１８ａ、里弦♯チューニングランプ１８ｂ、および外弦♯チューニングランプ１９ｂは消灯となる。
【００９９】
そして、調弦中の楽音の音高と外弦Ｇ２に対応する基準音高の音名「Ａ４」の音高との偏差が−５セント以上、＋５セント以下である場合には、外弦♭チューニングランプ１９ａ、および外弦♯チューニングランプ１９ｂが共に点灯する。それ以外の里弦♭チューニングランプ１８ａ、および里弦♯チューニングランプ１８ｂは消灯となる。このとき、外弦が調弦されている場合には、外弦Ｇ２に対応する基準音高の音名「Ａ４」と外弦Ｇ２の振動により出力される調弦中の楽音の音高がほぼ一致することとなり、外弦Ｇ２の調弦が完了する。
【０１００】
更に、調弦中の楽音の音高と外弦Ｇ２に対応する基準音高の音名「Ａ４」の音高との偏差が＋５セントより大きく、＋３００セント未満である場合には、調弦中の楽音の音高が音名「Ａ４」の音高に近づくにつれて、外弦♯チューニングランプ１９ｂが徐々に早く点滅する（音名「Ａ４」の音高から遠ざかるにつれて、外弦♯チューニングランプ１９ｂが徐々に遅く点滅する）。それ以外の里弦♭チューニングランプ１８ａ、里弦♯チューニングランプ１８ｂ、および外弦♭チューニングランプ１９ａは消灯となる。
【０１０１】
最後に、調弦中の楽音の音高と外弦Ｇ２に対応する基準音高の音名「Ａ４」の音高との偏差が＋３００セント以上である場合には、外弦♯チューニングランプ１９ｂがゆっくり点滅する。それ以外の里弦♭チューニングランプ１８ａ、里弦♯チューニングランプ１８ｂ、および外弦♭チューニングランプ１９ａは消灯となる。
【０１０２】
上述した通り、本実施形態の二胡用チューナ１０によれば、調弦中の楽音の音高が境界音の音名「Ｆ４」の音高以下の場合には、言い換えれば、調弦中の楽音の音高が里弦Ｇ１に対応する基準音高の音名「Ｄ４」の音高に近い場合には、外弦♭チューニングランプ１９ａ、および外弦♯チューニングランプ１９ｂを消灯した上で、里弦♭チューニングランプ１８ａと里弦♯チューニングランプ１８ｂとを使用して偏差を表示する。よって、里弦Ｇ１を基準音高に調弦する場合には、まず、里弦♭チューニングランプ１８ａ、または里弦♯チューニングランプ１８ｂのいずれかが点滅するように調弦を開始し、調弦完了時には、里弦♭チューニングランプ１８ａ、および里弦♯チューニングランプ１８ｂが同時に点灯するように調弦すれば良い。従って、二胡用チューナ１０の使用者が、設定すべき里弦Ｇ１に対する基準音高を認識していない場合であっても、その使用者は、里弦Ｇ１を基準音高に容易に設定することができる。
【０１０３】
同様に、本実施形態の二胡用チューナ１０によれば、調弦中の楽音の音高が境界音の音名「Ｆ４」の音高より高い場合には、言い換えれば、調弦中の楽音の音高が外弦Ｇ２に対応する基準音高の音名「Ａ４」の音高に近い場合には、里弦♭チューニングランプ１８ａ、および里弦♯チューニングランプ１８ｂを消灯した上で、外弦♭チューニングランプ１９ａと外弦♯チューニングランプ１９ｂとを使用して偏差を表示する。よって、外弦Ｇ２を基準音高に調弦する場合には、まず、外弦♭チューニングランプ１９ａ、または外弦♯チューニングランプ１９ｂのいずれかが点滅するように調弦を開始し、調弦完了時には、外弦♭チューニングランプ１９ａ、および外弦♯チューニングランプ１９ｂが同時に点灯するように調弦すれば良い。従って、二胡用チューナ１０の使用者が、設定すべき外弦Ｇ２に対する基準音高を認識していない場合であっても、その使用者は、外弦Ｇ２を基準音高に容易に設定することができる。
【０１０４】
以上、本実施形態に基づき本発明を説明したが、本発明は上記形態に何ら限定されるものではなく、本発明の趣旨を逸脱しない範囲内で種々の変形改良が可能であることは容易に推察できるものである。
【０１０５】
本実施形態の二胡用チューナ１０においては、里弦Ｇ１、または外弦Ｇ２の振動により出力される楽音を収音する装置として、マイク３１を使用したが、これに限られるものではなく、楽音を収音する装置として、圧電素子を利用した圧電ピックアップを使用しても良い。なお、圧電ピックアップを使用する場合には、その圧電ピックアップを琴筒、或いは駒下に配設すれば良い。
【０１０６】
また、本実施形態の二胡用チューナ１０においては、里弦チューニングランプ１８、および外弦チューニングランプ１９をコントローラ１２の長手方向、即ち、棹１０１の長手方向に並べて配設したが、これに限られるものではない。即ち、里弦チューニングランプ１８、および外弦チューニングランプ１９を短手方向に並べて配設しても良い。特に、この場合には、里弦Ｇ１と外弦Ｇ２との並びに合わせて、里弦チューニングランプ１８を棹１０１から近い位置に配設し、外弦チューニングランプ１９を棹１０１から遠い位置に配設すれば良い。このように配設することで、二胡Ｎを演奏して間もない初心者であっても、違和感なく調弦を行うことができる。更に、里弦チューニングランプ１８、外弦チューニングランプ１９、エフェクトボタン１３やチューナボタン１４の一部、またはこれら全部を小型化して本体１１に組み込むと共に、その本体１１にコンパクトに配列することで、コントローラ１２をなくしても良い。他にも、チューナ機能を実現する電子回路だけを本体１１から取り出すと共に、その電子回路に電力を供給するバッテリーを、里弦チューニングランプ１８、外弦チューニングランプ１９、表示ランプＬ１〜Ｌ５、エフェクトボタン１３、およびチューナボタン１４に加えてコントローラ１２に内蔵してもよい。この構成の場合、弦の振動により出力された楽音を収音する方法としては、前述のマイク３１により収音する方法の他、コントローラ１２にマイクロフォンを内蔵して、その内蔵したマイクロフォンから収音する方法、棹１０１に直接圧電ピックアップを取付けることにより収音する方法や、或いはコントローラ１２に圧電ピックアップを内蔵して、コントローラ１２を棹１０１に装着した状態で集音する方法が例示される。
【０１０７】
また、本実施形態の二胡用チューナ１０においては、里弦チューニングランプ１８、および外弦チューニングランプ１９を点滅あるいは点灯させることで、マイク３１から収音された楽音の音高と各基準音高との偏差を表示したが、これに加えて、里弦チューニングランプ１８と外弦チューニングランプ１９との発光色をそれぞれ別々にしても良い。この場合には、各チューニングランプが配設された場所に加えて、発光する色によっても、表示されている偏差が、里弦Ｇ１に対する基準音高によるものか、外弦Ｇ２に対する基準音高によるものかを判別することができる。
【０１０８】
また、本実施形態の二胡用チューナ１０においては、里弦チューニングランプ１８、および外弦チューニングランプ１９にＬＥＤを用いたが、これに限られるものではなく、液晶ディスプレイや有機ＥＬディスプレイを用いても良い。
【０１０９】
また、本実施形態の二胡用チューナ１０においては、里弦チューニングランプ１８に偏差を表示している場合には、外弦チューニングランプ１９をオフにして、外弦チューニングランプ１９に偏差を表示している場合には、里弦チューニングランプ１８をオフしたが、これに限られるものではない。例えば、里弦チューニングランプ１８、および外弦チューニングランプ１９に液晶ディスプレイや有機ＥＬディスプレイを用いた場合には、里弦チューニングランプ１８に偏差が表示されているときには、外弦チューニングランプ１９をオフせずに、外弦チューニングランプ１９に、例えば「里弦Ｇ１をチューニング中です」とコメントを表示するようにしても良い。これにより、二胡用チューナ１０の使用者を、偏差が表示されているチューニングランプに注目させることができる。
【０１１０】
また、本実施形態の二胡用チューナ１０においては、調弦中の楽音の音高が、境界音を基準に、境界音の音高以下であれば、里弦チューニングランプ１８を点灯させるとともに外弦チューニングランプ１９を消灯させる一方、調弦中の楽音の音高が、境界音の音高よりも高ければ、里弦チューニングランプ１８を消灯させると共に外弦チューニングランプ１９を点灯させるように構成したが、これに限られるものではない。例えば里弦Ｇ１の調弦を行う際、里弦チューニングランプ１８の点滅を見ながら境界音の音高以下の楽音を途切れることなく持続させる演奏を行い、その演奏中に弦巻を巻いて音高を徐々に上げていく場合、その音高が境界音を越えた場合であっても、調弦中の楽音が持続して演奏されている限りは里弦チューニングランプ１８の点滅を続けると共に、外弦チューニングランプ１９を消灯したままとしても良い。この構成により、例えば、里弦Ｇ１の調弦中は、常に里弦チューニングランプ１８の表示だけに注目すれば良いので、二胡用チューナ１０の使用者は、里弦Ｇ１を容易に基準音高に調弦することができる。
【０１１１】
また、本実施形態の二胡用チューナ１０においては、マイク３１により収音された楽音の音高が各基準音高の±５セントの範囲内となった場合に、里弦チューニングランプ１８、または外弦チューニングランプ１９を点灯させるように構成したが、これに限られるものでない。即ち、マイク３１により収音された楽音の音高が各基準音高の±３セントの範囲内となった場合に、里弦チューニングランプ１８、または外弦チューニングランプ１９を点灯させるように構成しても良いし、マイク３１により収音された楽音の音高が各基準音高の±１０セントの範囲内となった場合に、里弦チューニングランプ１８、または外弦チューニングランプ１９を点灯させるように構成しても良い。
【０１１２】
また、本実施形態の二胡用チューナ１０においては、マイク３１により楽音が収音された場合に、ＤＳＰ３３は、Ａ／Ｄ変換器３２から出力されたデジタル信号の波形のゼロクロスを検知してＣＰＵ３７に通知し、ＣＰＵ３７は、この通知に基づいてマイク３１により収音された楽音の周期（音高）を検出したが、これに限られるものではない。即ち、ＤＳＰ３３は、Ａ／Ｄ変換器３２からデジタル信号が出力されてから数十ｍｓ経過した後に、Ａ／Ｄ変換器３２から出力されたデジタル信号の波形のゼロクロスを検知するように構成しても良い。或いは、ＣＰＵ３７は、ＤＳＰ３３からゼロクロスの通知が出力されてから数十ｍｓ経過した後に、マイク３１により収音された楽音の周期（音高）を検出するように構成しても良い。これらの場合には、マイク３１により楽音が収音されてから数十ｍｓ経過した後に、楽音の周期（音高）を検出するので、安定した楽音を用いてその楽音の周期（音高）を検出することができる。
【０１１３】
また、本実施形態の二胡用チューナ１０においては、マイク３１から収音された楽音の音高と各基準音高との偏差を算出後、その偏差を、里弦チューニングランプ１８、または外弦チューニングランプ１９に表示するように構成したが、これに限られるものではない。即ち、マイク３１から収音された楽音の音高と各基準音高との偏差を算出後、その偏差が所定の単位時間内において予め定められた範囲内の変化に収束した場合に、その偏差を、里弦チューニングランプ１８、または外弦チューニングランプ１９に表示するように構成しても良い。この場合には、里弦チューニングランプ１８、または外弦チューニングランプ１９の表示態様が短時間で著しく変化することがなく、その表示を安定させることができる。
【図面の簡単な説明】
【０１１４】
【図１】（ａ）は、本実施形態における二胡用チューナの外観を示した図であり、（    ｂ）は、二胡用チューナの一部であるコントローラの矢印Ｉｂ視における外観の拡大    図である。
【図２】二胡用チューナの電気的構成を示すブロック図である。
【図３】（ａ）は、チューニングバリエーションテーブルの内容を模式的に示した図    であり、（ｂ）は、境界音テーブルの内容を模式的に示した図であり、（ｃ）は、エ    フェクトテーブルの内容を模式的に示した図である。
【図４】メイン処理を示したフローチャートである。
【図５】チューナ機能設定処理を示したフローチャートである。
【図６】チューニングバリエーション処理を示したフローチャートである。
【図７】基準周波数設定処理を示したフローチャートである。
【図８】チューニング表示処理を示したフローチャートである。
【図９】マイクにより収音された楽音の音高に応じて変化する、里弦チューニングラ    ンプの表示態様、および外弦チューニングランプの表示態様を示した一覧図である。
【符号の説明】
【０１１５】
１０          二胡用チューナ（調弦装置）
１２          コントローラ（筐体）
１３ｂ〜１３ｄ，１４      ボタン（選択手段の一部）
１８          里弦チューニングランプ（第１表示手段）
１９          外弦チューニングランプ（第２表示手段）
３１          マイク（収音手段）
３３          ＤＳＰ（音高検出手段の一部）
３６ｃ        里弦基準音メモリ（第１基準音高設定手段の一部）
３６ｄ        外弦基準音メモリ（第２基準音高設定手段の一部）
３６ｅ        境界音メモリ（境界音高設定手段の一部）
３７          ＣＰＵ（音高検出手段の一部、第１基準音高設定手段の一部、第２基準音高設定手段の一部、境界音高設定手段の一部）
３８          ＲＯＭ（基準音高記憶手段の一部）
３８ａ        チューニングバリエーションテーブル（基準音高記憶手段の一部）
１００        琴托
１０１        棹
Ｇ１          里弦
Ｇ２          外弦
Ｎ            二胡（弦楽器）
Ｓ２３        チューニングバリエーション切換処理（選択手段の一部）
Ｓ５６        チューニング表示処理（音高判定手段）
Ｓ５８        チューニング表示処理（第１表示制御手段）
Ｓ５９        チューニング表示処理（第１用停止手段）
Ｓ６１        チューニング表示処理（第２表示制御手段）
Ｓ６２        チューニング表示処理（第２用停止手